(57)【要約】【課題】配信が一時停止されたコンテンツの配信再開を一時停止した再生端末装置とは異なる再生端末装置で容易かつ正確に実行することが可能なコンテンツ受信端末装置（受信方法、受信プログラム）、コンテンツ再生端末装置（再生方法、再生プログラム）、およびコンテンツ受信再生端末システムを提供する。【解決手段】コンテンツ配信サーバ１０から配信され、コンテンツ受信端末装置１００が受信したコンテンツは、構内情報通信網ＬＡＮを介して接続されたコンテンツ再生端末装置２００Ａまたはコンテンツ再生端末装置２００Ｂへ転送され、コンテンツ再生端末装置２００Ａまたはコンテンツ再生端末装置２００Ｂで再生される。例えば、コンテンツ再生端末装置２００Ａで配信を一時停止したコンテンツをコンテンツ再生端末装置２００Ｂでの簡単な操作で視聴再開できる構成としてある。【選択図】図１
2009043000.tif 000002
【特許請求の範囲】
【請求項１】
ネットワークを介してコンテンツ配信サーバから配信されたコンテンツを受信するコンテンツ受信手段と、コンテンツを再生する複数のコンテンツ再生端末装置のいずれかへ受信したコンテンツを転送するコンテンツ転送手段とを備えるコンテンツ受信端末装置であって、
前記コンテンツ配信サーバでのコンテンツ配信の状態を制御するための配信制御情報を前記コンテンツ再生端末装置から受け付けて判別する配信制御情報受付手段と、
判別された配信制御情報がコンテンツの配信一時停止を要求する配信一時停止要求情報である場合は前記コンテンツ配信サーバに対してコンテンツの配信一時停止を要求する配信一時停止要求手段と、
判別された配信制御情報がコンテンツの配信再開を要求する配信再開要求情報である場合は前記コンテンツ配信サーバに対してコンテンツの配信再開を要求する配信再開要求手段とを備え、
前記コンテンツ転送手段は、前記配信再開要求情報で指定された前記コンテンツ再生端末装置へ配信再開によって受信したコンテンツを転送する構成としてあること
を特徴とするコンテンツ受信端末装置。
【請求項２】
請求項１に記載のコンテンツ受信端末装置であって、
判別された配信制御情報が配信を一時停止しているコンテンツのリストである一時停止コンテンツリストを要求する一時停止コンテンツリスト要求情報である場合は一時停止コンテンツリストを生成する一時停止コンテンツリスト生成手段と、
一時停止コンテンツリスト要求情報を送信してきた前記コンテンツ再生端末装置へ生成した一時停止コンテンツリストを送信する一時停止コンテンツリスト送信手段とを備えることを特徴とするコンテンツ受信端末装置。
【請求項３】
請求項１または請求項２に記載のコンテンツ受信端末装置であって、
判別された配信制御情報がコンテンツの配信開始を要求する配信開始要求情報である場合は前記コンテンツ配信サーバに対する認証状況を判断し、認証がされていないと判断したときは前記コンテンツ配信サーバに対する認証処理を行なう認証処理手段を備えることを特徴とするコンテンツ受信端末装置。
【請求項４】
請求項１ないし請求項３のいずれか一つに記載のコンテンツ受信端末装置であって、
判別された配信制御情報がコンテンツの配信開始を要求する配信開始要求情報である場合は配信開始を要求しているコンテンツについての決済状況を前記コンテンツ配信サーバに対して問い合わせ、決済がされていないときは配信開始を要求しているコンテンツについての決済処理を前記コンテンツ配信サーバに対して行なう決済処理手段を備えることを特徴とするコンテンツ受信端末装置。
【請求項５】
ネットワークを介してコンテンツ配信サーバから配信されたコンテンツを受信するコンテンツ受信ステップと、コンテンツを再生する複数のコンテンツ再生端末装置のいずれかへ受信したコンテンツを転送するコンテンツ転送ステップとを備えるコンテンツ受信端末装置のコンテンツ受信方法であって、
前記コンテンツ配信サーバでのコンテンツ配信の状態を制御するための配信制御情報を前記コンテンツ再生端末装置から受け付けて判別する配信制御情報受付ステップと、
判別された配信制御情報がコンテンツの配信一時停止を要求する配信一時停止要求情報である場合は前記コンテンツ配信サーバに対してコンテンツの配信一時停止を要求する配信一時停止要求ステップと、
判別された配信制御情報がコンテンツの配信再開を要求する配信再開要求情報である場合は前記コンテンツ配信サーバに対してコンテンツの配信再開を要求する配信再開要求ステップとを備え、
前記コンテンツ転送ステップは、前記配信再開要求情報で指定された前記コンテンツ再生端末装置へ配信再開によって受信したコンテンツを転送すること
を特徴とするコンテンツ受信端末装置のコンテンツ受信方法。
【請求項６】
コンピュータに、ネットワークを介してコンテンツ配信サーバから配信されたコンテンツを受信するコンテンツ受信ステップと、コンテンツを再生する複数のコンテンツ再生端末装置のいずれかへ受信したコンテンツを転送するコンテンツ転送ステップとを実行させるコンテンツ受信端末装置のコンテンツ受信プログラムであって、
コンピュータに、前記コンテンツ配信サーバでのコンテンツ配信の状態を制御するための配信制御情報を前記コンテンツ再生端末装置から受け付けて判別する配信制御情報受付ステップを実行させ、
コンピュータに、判別された配信制御情報がコンテンツの配信一時停止を要求する配信一時停止要求情報である場合は前記コンテンツ配信サーバに対してコンテンツの配信一時停止を要求する配信一時停止要求ステップを実行させ、
コンピュータに、判別された配信制御情報がコンテンツの配信再開を要求する配信再開要求情報である場合は前記コンテンツ配信サーバに対してコンテンツの配信再開を要求する配信再開要求ステップを実行させ、
コンピュータに、前記コンテンツ転送ステップで、前記配信再開要求情報で指定された前記コンテンツ再生端末装置への配信再開によって受信したコンテンツの転送を実行させること
を特徴とするコンテンツ受信端末装置のコンテンツ受信プログラム。
【請求項７】
ネットワークを介してコンテンツ配信サーバから配信されコンテンツ受信端末装置が受信して転送したコンテンツを受信する再生コンテンツ受信手段と、該再生コンテンツ受信手段が受信したコンテンツを再生するコンテンツ再生手段とを備え、前記コンテンツ配信サーバでのコンテンツ配信の状態を制御するための配信制御情報を前記コンテンツ受信端末装置へ送信するコンテンツ再生端末装置であって、
コンテンツの視聴の状態を指定するための視聴状態指定情報の入力を受け付けて判別する視聴状態指定情報入力受付手段と、
判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信手段と、
判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信手段とを備え、
前記配信再開要求情報送信手段は、配信再開によって前記コンテンツ受信端末装置が受信するコンテンツの転送先を前記配信再開要求情報で指定する構成としてあること
を特徴とするコンテンツ再生端末装置。
【請求項８】
請求項７に記載のコンテンツ再生端末装置であって、
判別された視聴状態指定情報が視聴再開指定情報である場合は配信を一時停止しているコンテンツのリストである一時停止コンテンツリストを要求する一時停止コンテンツリスト要求情報を配信制御情報として前記コンテンツ受信端末装置へ送信して一時停止コンテンツリストを取得する一時停止コンテンツリスト要求手段と、
前記コンテンツ受信端末装置から取得した一時停止コンテンツリストを表示する一時停止コンテンツリスト表示手段と、
表示された一時停止コンテンツリストから視聴再開の対象としてのコンテンツを選択指定した再生コンテンツ選択指定情報を受け付ける再生コンテンツ選択指定手段とを備え、
該再生コンテンツ選択指定手段は、前記再生コンテンツ選択指定情報を受け付けたとき選択指定されたコンテンツの配信再開を前記配信再開要求情報送信手段に要求させる構成としてあること
を特徴とするコンテンツ再生端末装置。
【請求項９】
請求項７に記載のコンテンツ再生端末装置であって、
判別された視聴状態指定情報が視聴再開指定情報である場合は配信を一時停止しているコンテンツのリストである一時停止コンテンツリストを要求する一時停止コンテンツリスト要求情報を配信制御情報として前記コンテンツ受信端末装置へ送信して一時停止コンテンツリストを取得する一時停止コンテンツリスト要求手段を備え、
該一時停止コンテンツリスト要求手段は、取得した一時停止コンテンツリストが一つのコンテンツのみのときは、前記一つのコンテンツの配信再開を前記配信再開要求情報送信手段に要求させる構成としてあること
を特徴とするコンテンツ再生端末装置。
【請求項１０】
ネットワークを介してコンテンツ配信サーバから配信されコンテンツ受信端末装置が受信して転送したコンテンツを受信する再生コンテンツ受信ステップと、該再生コンテンツ受信ステップで受信したコンテンツを再生するコンテンツ再生ステップとを備え、前記コンテンツ配信サーバでのコンテンツ配信の状態を制御するための配信制御情報を前記コンテンツ受信端末装置へ送信するコンテンツ再生端末装置のコンテンツ再生方法であって、
コンテンツの視聴の状態を指定するための視聴状態指定情報の入力を受け付けて判別する視聴状態指定情報入力受付ステップと、
判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信ステップと、
判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信ステップとを備え、
前記配信再開要求情報送信ステップは、配信再開によって前記コンテンツ受信端末装置が受信するコンテンツの転送先を前記配信再開要求情報で指定すること
を特徴とするコンテンツ再生端末装置のコンテンツ再生方法。
【請求項１１】
コンピュータに、ネットワークを介してコンテンツ配信サーバから配信されコンテンツ受信端末装置が受信して転送したコンテンツを受信する再生コンテンツ受信ステップと、該再生コンテンツ受信手段が受信したコンテンツを再生するコンテンツ再生ステップとを実行させ、前記コンテンツ配信サーバでのコンテンツ配信の状態を制御するための配信制御情報を前記コンテンツ受信端末装置へ送信させるコンテンツ再生端末装置のコンテンツ再生プログラムであって、
コンピュータに、コンテンツの視聴の状態を指定するための視聴状態指定情報の入力を受け付ける視聴状態指定情報入力受付ステップを実行させ、
コンピュータに、判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信ステップを実行させ、
コンピュータに、判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信ステップを実行させ、
コンピュータに、前記配信再開要求情報送信ステップでは、配信再開によって前記コンテンツ受信端末装置が受信するコンテンツの転送先を前記配信再開要求情報で指定させること
を特徴とするコンテンツ再生端末装置のコンテンツ再生プログラム。
【請求項１２】
ネットワークを介してコンテンツ配信サーバから配信されたコンテンツを受信するコンテンツ受信端末装置と、前記コンテンツ配信サーバでのコンテンツ配信の状態を制御するための配信制御情報を前記コンテンツ受信端末装置へ送信し前記コンテンツ受信端末装置が受信したコンテンツを再生する複数のコンテンツ再生端末装置とを備えるコンテンツ受信再生端末システムであって、
前記コンテンツ受信端末装置は、
前記コンテンツ配信サーバから配信されたコンテンツを受信するコンテンツ受信手段と、
前記コンテンツ再生端末装置のいずれかへ受信したコンテンツを転送するコンテンツ転送手段と、
配信制御情報を前記コンテンツ再生端末装置から受け付けて判別する配信制御情報受付手段と、
判別された配信制御情報がコンテンツの配信一時停止を要求する配信一時停止要求情報である場合は前記コンテンツ配信サーバに対してコンテンツの配信一時停止を要求する配信一時停止要求手段と、
判別された配信制御情報がコンテンツの配信再開を要求する配信再開要求情報である場合は前記コンテンツ配信サーバに対してコンテンツの配信再開を要求する配信再開要求手段とを備え、
前記コンテンツ転送手段は、前記配信再開要求情報で指定された前記コンテンツ再生端末装置へ配信再開によって受信したコンテンツを転送する構成としてあり、
前記コンテンツ再生端末装置は、
前記コンテンツ受信端末装置から転送されたコンテンツを受信する再生コンテンツ受信手段と、
該再生コンテンツ受信手段が受信したコンテンツを再生するコンテンツ再生手段と、
コンテンツの視聴の状態を指定するための視聴状態指定情報の入力を受け付けて判別する視聴状態指定情報入力受付手段と、
判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信手段と、
判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信手段とを備え、
前記配信再開要求情報送信手段は、配信再開によって前記コンテンツ受信端末装置が受信するコンテンツの転送先を前記配信再開要求情報で指定する構成としてあること
を特徴とするコンテンツ受信再生端末システム。
【発明の詳細な説明】
【技術分野】
【０００１】
本発明は、インターネットなどのネットワークを介してコンテンツ配信サーバから配信された例えば映像、音声などのコンテンツを受信するコンテンツ受信端末装置、コンテンツ受信端末装置のコンテンツ受信方法、コンテンツ受信端末装置のコンテンツ受信プログラム、およびコンテンツ受信端末装置から転送されたコンテンツを再生するコンテンツ再生端末装置、コンテンツ受信端末装置のコンテンツ再生方法、コンテンツ受信端末装置のコンテンツ再生プログラム、並びに、コンテンツ受信端末装置およびコンテンツ再生端末装置を備えるコンテンツ受信再生端末システムに関する。
【背景技術】
【０００２】
近年、ｘＤＳＬや光ファイバー技術を用いた通信の速度の高速化と、符号化／圧縮技術の進歩により、インターネットのようなＩＰ（Ｉｎｔｅｒｎｅｔ  Ｐｒｏｔｏｃｏｌ）ネットワークを用いて映像などを配信するサービスが盛んに行なわれるようになってきている。
【０００３】
このようなコンテンツ配信サービスは、ダウンロード型とストリーム型に分類される。ダウンロード型サービスは、コンテンツをユーザの端末にダウンロードを行って視聴を行なうサービスであり、ストリーム型サービスは、サーバがコンテンツの再生速度にあわせてコンテンツの送信を行ない、ユーザ端末は受信しながら再生を行なうサービスである。
【０００４】
有料のコンテンツ、著作権保護が必要とされるコンテンツなどの配信サービスにおいては、ユーザ端末上にデータが残らないという利点があることからストリーム型のサービスが採用されることが多い。
【０００５】
コンテンツ配信サービスを実施する場合に要求される機能として、コンテンツを視聴中に一旦視聴を一時停止し、一時停止した位置からコンテンツの視聴を再開する継続視聴が提案されている。
【０００６】
例えば、ＩＥＴＦ（Ｉｎｔｅｒｎｅｔ  Ｅｎｇｉｎｅｅｒｉｎｇ  Ｔａｓｋ  Ｆｏｒｃｅ）のＲＦＣ２３２６で規定されているＲＴＳＰ（Ｒｅａｌ  Ｔｉｍｅ  Ｓｔｒｅａｍ  Ｐｒｏｔｏｃｏｌ）では、コンテンツの一時停止のために「ＰＡＵＳＥ」コマンドが準備されており、「ＰＡＵＳＥ」コマンドを用いて継続視聴を実現している。
【０００７】
しかしながら、ＲＴＳＰでは、視聴を一時停止したコンテンツの視聴再開を行なう端末としては、視聴一時停止を行なった端末であることが前提とされている。したがって、例えば、「リビングで視聴していたコンテンツの続きを寝室で見る」といったシーンには対応することができない。
【０００８】
このような問題を解決するために、コンテンツ配信サーバに「ユーザＩＤ、コンテンツＩＤ、終了位置など」を関連づけて記憶させ、再開を行なう端末に対して、「ユーザＩＤ、コンテンツＩＤ、終了位置など」を別途入力させ、コンテンツ配信サーバに通知して視聴の再開を行なう技術が提案されている（例えば、特許文献１参照）。
【特許文献１】特開２００４−１３２８３号公報
【発明の開示】
【発明が解決しようとする課題】
【０００９】
しかしながら、特許文献１で開示された技術方式では、視聴一時停止を行なうコンテンツの「ユーザＩＤ、コンテンツＩＤ、終了位置など」をコンテンツ配信サーバに対して記録する必要がある。
【００１０】
したがって、既に稼動しているコンテンツ配信サービスについて新たに適用する場合は、サーバ装置も含めて更新を行なう必要があり、コスト、時間などの負担が必要となるという問題が生じる。
【００１１】
また、視聴を一時停止しているコンテンツの再生（視聴）を再開するためには、コンテンツ配信サーバで「ユーザＩＤ、コンテンツＩＤ」の照合が必要となることから、視聴を再開しようとする移動先の端末でこれらの情報の再入力を行なう必要があるという問題があった。
【００１２】
本発明はこのような状況に鑑みてなされたものであり、ネットワークを介してコンテンツ配信サーバから配信されたコンテンツを受信するコンテンツ受信手段と、コンテンツを再生する複数のコンテンツ再生端末装置のいずれかへ受信したコンテンツを転送するコンテンツ転送手段とを備えるコンテンツ受信端末装置であって、コンテンツ配信の状態を制御するための配信制御情報をコンテンツ再生端末装置から受け付けて判別する配信制御情報受付手段と、コンテンツ配信サーバに対してコンテンツの配信一時停止を要求する配信一時停止要求手段と、コンテンツ配信サーバに対してコンテンツの配信再開を要求する配信再開要求手段とを備え、コンテンツ転送手段は、配信再開要求情報で指定されたコンテンツ再生端末装置へ配信再開によって受信したコンテンツを転送する構成としてある。
【００１３】
つまり、本発明は、配信が一時停止されたコンテンツの配信再開をコンテンツ再生端末装置からの配信制御情報（配信再開要求情報）に応じてコンテンツ配信サーバに対して要求することが可能となるので、配信が一時停止されたコンテンツの配信再開による視聴再開（継続視聴）を容易かつ正確に指定されたコンテンツ再生端末装置で行なうことが可能なコンテンツ受信端末装置を提供することを目的とする。
【００１４】
また、本発明は、ネットワークを介してコンテンツ配信サーバから配信されたコンテンツを受信するコンテンツ受信ステップと、コンテンツを再生する複数のコンテンツ再生端末装置のいずれかへ受信したコンテンツを転送するコンテンツ転送ステップとを備えるコンテンツ受信端末装置のコンテンツ受信方法（コンテンツ受信プログラム）であって、コンテンツ配信の状態を制御するための配信制御情報をコンテンツ再生端末装置から受け付けて判別する配信制御情報受付ステップと、コンテンツ配信サーバに対してコンテンツの配信一時停止を要求する配信一時停止要求ステップと、コンテンツ配信サーバに対してコンテンツの配信再開を要求する配信再開要求ステップとを備え、コンテンツ転送ステップは、配信再開要求情報で指定されたコンテンツ再生端末装置へ配信再開によって受信したコンテンツを転送する構成としてある。
【００１５】
つまり、本発明は、配信が一時停止されたコンテンツの配信再開をコンテンツ再生端末装置からの配信制御情報（配信再開要求情報）に応じてコンテンツ配信サーバに対して要求することが可能となるので、配信が一時停止されたコンテンツの配信再開による視聴再開（継続視聴）を容易かつ正確に指定されたコンテンツ再生端末装置で行なうことが可能なコンテンツ受信端末装置のコンテンツ受信方法（コンテンツ受信プログラム）を提供することを他の目的とする。
【００１６】
また、本発明は、ネットワークを介してコンテンツ配信サーバから配信されコンテンツ受信端末装置が受信して転送したコンテンツを受信する再生コンテンツ受信手段と、再生コンテンツ受信手段が受信したコンテンツを再生するコンテンツ再生手段とを備え、コンテンツ配信サーバでのコンテンツ配信の状態を制御するための配信制御情報をコンテンツ受信端末装置へ送信するコンテンツ再生端末装置であって、コンテンツの視聴の状態を指定するための視聴状態指定情報の入力を受け付けて判別する視聴状態指定情報入力受付手段と、コンテンツの配信一時停止をコンテンツ配信サーバに対して要求する配信一時停止要求情報をコンテンツ受信端末装置へ送信する配信一時停止要求情報送信手段と、配信再開をコンテンツ配信サーバに対して要求する配信再開要求情報をコンテンツ受信端末装置へ送信する配信再開要求情報送信手段とを備え、配信再開要求情報送信手段は、配信再開によってコンテンツ受信端末装置が受信するコンテンツの転送先を配信再開要求情報で指定する構成としてある。
【００１７】
つまり、本発明は、視聴が一時停止されたコンテンツの視聴再開を指定する視聴再開指定情報（視聴状態指定情報）に対応させた配信再開要求情報（配信制御情報）をコンテンツ受信端末装置へ送信し、コンテンツ配信サーバからのコンテンツの配信再開を制御することが可能となるので、視聴が一時停止されたコンテンツの視聴再開（継続視聴）を配信再開要求情報で指定された転送先で容易かつ正確に行なうことが可能なコンテンツ再生端末装置を提供することを他の目的とする。
【００１８】
また、本発明は、ネットワークを介してコンテンツ配信サーバから配信されコンテンツ受信端末装置が受信して転送したコンテンツを受信する再生コンテンツ受信ステップと、再生コンテンツ受信ステップで受信したコンテンツを再生するコンテンツ再生ステップとを備え、コンテンツ配信サーバでのコンテンツ配信の状態を制御するための配信制御情報をコンテンツ受信端末装置へ送信するコンテンツ再生端末装置のコンテンツ再生方法（コンテンツ再生プログラム）であって、コンテンツの視聴の状態を指定するための視聴状態指定情報の入力を受け付けて判別する視聴状態指定情報入力受付ステップと、コンテンツの配信一時停止をコンテンツ配信サーバに対して要求する配信一時停止要求情報をコンテンツ受信端末装置へ送信する配信一時停止要求情報送信ステップと、配信再開をコンテンツ配信サーバに対して要求する配信再開要求情報をコンテンツ受信端末装置へ送信する配信再開要求情報送信ステップとを備え、配信再開要求情報送信ステップは、配信再開によってコンテンツ受信端末装置が受信するコンテンツの転送先を配信再開要求情報で指定する構成としてある。
【００１９】
つまり、本発明は、視聴が一時停止されたコンテンツの視聴再開を指定する視聴再開指定情報（視聴状態指定情報）に対応させた配信再開要求情報（配信制御情報）をコンテンツ受信端末装置へ送信し、コンテンツ配信サーバからのコンテンツの配信再開を制御することが可能となるので、視聴が一時停止されたコンテンツの視聴再開（継続視聴）を配信再開要求情報で指定された転送先で容易かつ正確に行なうことが可能なコンテンツ再生端末装置のコンテンツ再生方法（コンテンツ再生プログラム）を提供することを他の目的とする。
【００２０】
また、本発明は、ネットワークを介してコンテンツ配信サーバから配信されたコンテンツを受信するコンテンツ受信端末装置と、コンテンツ配信サーバでのコンテンツ配信の状態を制御するための配信制御情報をコンテンツ受信端末装置へ送信しコンテンツ受信端末装置が受信したコンテンツを再生する複数のコンテンツ再生端末装置とを備えるコンテンツ受信再生端末システムであって、コンテンツ受信端末装置は、コンテンツ配信の状態を制御するための配信制御情報をコンテンツ再生端末装置から受け付けて判別する配信制御情報受付手段と、コンテンツ配信サーバに対してコンテンツの配信一時停止を要求する配信一時停止要求手段と、コンテンツ配信サーバに対してコンテンツの配信再開を要求する配信再開要求手段とを備え、コンテンツ転送手段は、配信再開要求情報で指定されたコンテンツ再生端末装置へ配信再開によって受信したコンテンツを転送する構成としてあり、コンテンツ再生端末装置は、コンテンツの視聴の状態を指定するための視聴状態指定情報の入力を受け付けて判別する視聴状態指定情報入力受付手段と、コンテンツの配信一時停止をコンテンツ配信サーバに対して要求する配信一時停止要求情報をコンテンツ受信端末装置へ送信する配信一時停止要求情報送信手段と、配信再開をコンテンツ配信サーバに対して要求する配信再開要求情報をコンテンツ受信端末装置へ送信する配信再開要求情報送信手段とを備え、配信再開要求情報送信手段は、配信再開によってコンテンツ受信端末装置が受信するコンテンツの転送先を配信再開要求情報で指定する構成としてある。
【００２１】
つまり、本発明は、視聴が一時停止されたコンテンツの視聴再開を指定する視聴再開指定情報（視聴状態指定情報）に対応させた配信再開要求情報（配信制御情報）をコンテンツ再生端末装置からコンテンツ受信端末装置へ送信し、配信制御情報（配信再開要求情報）に応じてコンテンツ受信端末装置からコンテンツ配信サーバに対して配信再開を要求することが可能となる。したがって、配信再開がされたコンテンツをコンテンツ受信端末装置で受信し、配信再開要求情報で指定された転送先としてのコンテンツ再生端末装置へ転送することが可能となるので、視聴が一時停止されたコンテンツの視聴再開（継続視聴）を転送先で容易かつ正確に行なうことが可能なコンテンツ受信再生端末システムを提供することを他の目的とする。
【課題を解決するための手段】
【００２２】
本発明に係るコンテンツ受信端末装置は、ネットワークを介してコンテンツ配信サーバから配信されたコンテンツを受信するコンテンツ受信手段と、コンテンツを再生する複数のコンテンツ再生端末装置のいずれかへ受信したコンテンツを転送するコンテンツ転送手段とを備えるコンテンツ受信端末装置であって、前記コンテンツ配信サーバでのコンテンツ配信の状態を制御するための配信制御情報を前記コンテンツ再生端末装置から受け付けて判別する配信制御情報受付手段と、判別された配信制御情報がコンテンツの配信一時停止を要求する配信一時停止要求情報である場合は前記コンテンツ配信サーバに対してコンテンツの配信一時停止を要求する配信一時停止要求手段と、判別された配信制御情報がコンテンツの配信再開を要求する配信再開要求情報である場合は前記コンテンツ配信サーバに対してコンテンツの配信再開を要求する配信再開要求手段とを備え、前記コンテンツ転送手段は、前記配信再開要求情報で指定された前記コンテンツ再生端末装置へ配信再開によって受信したコンテンツを転送する構成としてあることを特徴とする。
【００２３】
この構成により、配信が一時停止されたコンテンツの配信再開をコンテンツ再生端末装置からの配信制御情報（配信再開要求情報）に応じてコンテンツ配信サーバに対して要求することが可能となるので、配信が一時停止されたコンテンツの配信再開による視聴再開（継続視聴）を容易かつ正確に指定されたコンテンツ再生端末装置で行なうことが可能となる。つまり、コンテンツ配信サーバでの変更を全く必要とせずに、配信の一時停止を行なったコンテンツ再生端末装置とは異なる別のコンテンツ再生端末装置での視聴再開を容易かつ簡単な操作で実行することが可能となる。
【００２４】
また、本発明に係るコンテンツ受信端末装置では、判別された配信制御情報が配信を一時停止しているコンテンツのリストである一時停止コンテンツリストを要求する一時停止コンテンツリスト要求情報である場合は一時停止コンテンツリストを生成する一時停止コンテンツリスト生成手段と、一時停止コンテンツリスト要求情報を送信してきた前記コンテンツ再生端末装置へ生成した一時停止コンテンツリストを送信する一時停止コンテンツリスト送信手段とを備えることを特徴とする。
【００２５】
この構成により、コンテンツ再生端末装置では、一時停止中のコンテンツのリスト（一時停止コンテンツリスト）をコンテンツ受信端末装置から容易かつ正確に取得できるので、ユーザが配信再開を希望するコンテンツを一時停止コンテンツリストから容易に選択、指定できるので、一時停止したコンテンツの継続視聴を容易に行なうことが可能となる。
【００２６】
また、本発明に係るコンテンツ受信端末装置では、判別された配信制御情報がコンテンツの配信開始を要求する配信開始要求情報である場合は前記コンテンツ配信サーバに対する認証状況を判断し、認証がされていないと判断したときは前記コンテンツ配信サーバに対する認証処理を行なう認証処理手段を備えることを特徴とする。
【００２７】
この構成により、コンテンツの配信開始を要求しているコンテンツ受信端末装置が正規のユーザ（端末）であることをコンテンツ配信サーバに対して確認することが可能となり、コンテンツ再生端末装置での認証を行なう必要が無くなるので、コンテンツ再生端末装置でのコンテンツ継続視聴を簡単な操作で容易に行なうことが可能となる。
【００２８】
また、本発明に係るコンテンツ受信端末装置では、判別された配信制御情報がコンテンツの配信開始を要求する配信開始要求情報である場合は配信開始を要求しているコンテンツについての決済状況を前記コンテンツ配信サーバに対して問い合わせ、決済がされていないときは配信開始を要求しているコンテンツについての決済処理を前記コンテンツ配信サーバに対して行なう決済処理手段を備えることを特徴とする。
【００２９】
この構成により、配信開始を要求しているコンテンツについての決済処理をコンテンツ受信端末装置によってコンテンツ配信サーバに対して行なうことが可能となることから、コンテンツ再生端末装置での決済処理を行なう必要が無くなるので、コンテンツ再生端末装置でのコンテンツ継続視聴を簡単な操作で容易に行なうことが可能となる。
【００３０】
また、本発明に係るコンテンツ受信端末装置のコンテンツ受信方法は、ネットワークを介してコンテンツ配信サーバから配信されたコンテンツを受信するコンテンツ受信ステップと、コンテンツを再生する複数のコンテンツ再生端末装置のいずれかへ受信したコンテンツを転送するコンテンツ転送ステップとを備えるコンテンツ受信端末装置のコンテンツ受信方法であって、前記コンテンツ配信サーバでのコンテンツ配信の状態を制御するための配信制御情報を前記コンテンツ再生端末装置から受け付けて判別する配信制御情報受付ステップと、判別された配信制御情報がコンテンツの配信一時停止を要求する配信一時停止要求情報である場合は前記コンテンツ配信サーバに対してコンテンツの配信一時停止を要求する配信一時停止要求ステップと、判別された配信制御情報がコンテンツの配信再開を要求する配信再開要求情報である場合は前記コンテンツ配信サーバに対してコンテンツの配信再開を要求する配信再開要求ステップとを備え、前記コンテンツ転送ステップは、前記配信再開要求情報で指定された前記コンテンツ再生端末装置へ配信再開によって受信したコンテンツを転送することを特徴とする。
【００３１】
この構成により、コンテンツ受信端末装置と同様の作用が得られる。
【００３２】
また、本発明に係るコンテンツ受信端末装置のコンテンツ受信プログラムは、コンピュータに、ネットワークを介してコンテンツ配信サーバから配信されたコンテンツを受信するコンテンツ受信ステップと、コンテンツを再生する複数のコンテンツ再生端末装置のいずれかへ受信したコンテンツを転送するコンテンツ転送ステップとを実行させるコンテンツ受信端末装置のコンテンツ受信プログラムであって、コンピュータに、前記コンテンツ配信サーバでのコンテンツ配信の状態を制御するための配信制御情報を前記コンテンツ再生端末装置から受け付けて判別する配信制御情報受付ステップを実行させ、コンピュータに、判別された配信制御情報がコンテンツの配信一時停止を要求する配信一時停止要求情報である場合は前記コンテンツ配信サーバに対してコンテンツの配信一時停止を要求する配信一時停止要求ステップを実行させ、コンピュータに、判別された配信制御情報がコンテンツの配信再開を要求する配信再開要求情報である場合は前記コンテンツ配信サーバに対してコンテンツの配信再開を要求する配信再開要求ステップを実行させ、コンピュータに、前記コンテンツ転送ステップで、前記配信再開要求情報で指定された前記コンテンツ再生端末装置への配信再開によって受信したコンテンツの転送を実行させることを特徴とする。
【００３３】
この構成により、コンテンツ受信端末装置と同様の作用が得られる。
【００３４】
本発明に係るコンテンツ再生端末装置は、ネットワークを介してコンテンツ配信サーバから配信されコンテンツ受信端末装置が受信して転送したコンテンツを受信する再生コンテンツ受信手段と、該再生コンテンツ受信手段が受信したコンテンツを再生するコンテンツ再生手段とを備え、前記コンテンツ配信サーバでのコンテンツ配信の状態を制御するための配信制御情報を前記コンテンツ受信端末装置へ送信するコンテンツ再生端末装置であって、コンテンツの視聴の状態を指定するための視聴状態指定情報の入力を受け付けて判別する視聴状態指定情報入力受付手段と、判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信手段と、判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信手段とを備え、前記配信再開要求情報送信手段は、配信再開によって前記コンテンツ受信端末装置が受信するコンテンツの転送先を前記配信再開要求情報で指定する構成としてあることを特徴とする。
【００３５】
この構成により、視聴が一時停止されたコンテンツの視聴再開を指定する視聴再開指定情報（視聴状態指定情報）に対応させた配信再開要求情報（配信制御情報）をコンテンツ受信端末装置へ送信し、コンテンツ配信サーバからのコンテンツの配信再開を制御することが可能となるので、視聴が一時停止されたコンテンツの視聴再開（継続視聴）を配信再開要求情報で指定された転送先で容易かつ正確に行なうことが可能となる。つまり、コンテンツ配信サーバでの変更を全く必要とせずに、配信の一時停止を行なったコンテンツ再生端末装置とは異なる別のコンテンツ再生端末装置での視聴再開を容易かつ簡単な操作で実行することが可能となる。
【００３６】
また、本発明に係るコンテンツ再生端末装置では、判別された視聴状態指定情報が視聴再開指定情報である場合は配信を一時停止しているコンテンツのリストである一時停止コンテンツリストを要求する一時停止コンテンツリスト要求情報を配信制御情報として前記コンテンツ受信端末装置へ送信して一時停止コンテンツリストを取得する一時停止コンテンツリスト要求手段と、前記コンテンツ受信端末装置から取得した一時停止コンテンツリストを表示する一時停止コンテンツリスト表示手段と、表示された一時停止コンテンツリストから視聴再開の対象としてのコンテンツを選択指定した再生コンテンツ選択指定情報を受け付ける再生コンテンツ選択指定手段とを備え、該再生コンテンツ選択指定手段は、前記再生コンテンツ選択指定情報を受け付けたとき選択指定されたコンテンツの配信再開を前記配信再開要求情報送信手段に要求させる構成としてあることを特徴とする。
【００３７】
この構成により、視聴再開の対象としてのコンテンツを容易かつ正確に選択指定してコンテンツ受信端末装置へ送信できることから、コンテンツ配信サーバに選択指定したコンテンツを配信再開させることが可能となるので、配信が一時停止されたコンテンツを容易かつ正確に視聴再開することができる。
【００３８】
また、本発明に係るコンテンツ再生端末装置では、判別された視聴状態指定情報が視聴再開指定情報である場合は配信を一時停止しているコンテンツのリストである一時停止コンテンツリストを要求する一時停止コンテンツリスト要求情報を配信制御情報として前記コンテンツ受信端末装置へ送信して一時停止コンテンツリストを取得する一時停止コンテンツリスト要求手段を備え、該一時停止コンテンツリスト要求手段は、取得した一時停止コンテンツリストが一つのコンテンツのみのときは、前記一つのコンテンツの配信再開を前記配信再開要求情報送信手段に要求させる構成としてあることを特徴とする。
【００３９】
この構成により、視聴再開の対象としてのコンテンツに対する配信再開を簡略化した処理によって迅速にコンテンツ受信端末装置へ要求できることから、コンテンツ配信サーバからのコンテンツの配信再開を容易かつ迅速に実行させることが可能となるので、配信再開を要求したコンテンツの視聴再開を容易に行なうことができる。
【００４０】
また、本発明に係るコンテンツ再生端末装置のコンテンツ再生方法は、ネットワークを介してコンテンツ配信サーバから配信されコンテンツ受信端末装置が受信して転送したコンテンツを受信する再生コンテンツ受信ステップと、該再生コンテンツ受信ステップで受信したコンテンツを再生するコンテンツ再生ステップとを備え、前記コンテンツ配信サーバでのコンテンツ配信の状態を制御するための配信制御情報を前記コンテンツ受信端末装置へ送信するコンテンツ再生端末装置のコンテンツ再生方法であって、コンテンツの視聴の状態を指定するための視聴状態指定情報の入力を受け付けて判別する視聴状態指定情報入力受付ステップと、判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信ステップと、判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信ステップとを備え、前記配信再開要求情報送信ステップは、配信再開によって前記コンテンツ受信端末装置が受信するコンテンツの転送先を前記配信再開要求情報で指定することを特徴とする。
【００４１】
この構成により、コンテンツ再生端末装置と同様の作用が得られる。
【００４２】
また、本発明に係るコンテンツ再生端末装置のコンテンツ再生プログラムは、コンピュータに、ネットワークを介してコンテンツ配信サーバから配信されコンテンツ受信端末装置が受信して転送したコンテンツを受信する再生コンテンツ受信ステップと、該再生コンテンツ受信手段が受信したコンテンツを再生するコンテンツ再生ステップとを実行させ、前記コンテンツ配信サーバでのコンテンツ配信の状態を制御するための配信制御情報を前記コンテンツ受信端末装置へ送信させるコンテンツ再生端末装置のコンテンツ再生プログラムであって、コンピュータに、コンテンツの視聴の状態を指定するための視聴状態指定情報の入力を受け付ける視聴状態指定情報入力受付ステップを実行させ、コンピュータに、判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信ステップを実行させ、コンピュータに、判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信ステップを実行させ、コンピュータに、前記配信再開要求情報送信ステップでは、配信再開によって前記コンテンツ受信端末装置が受信するコンテンツの転送先を前記配信再開要求情報で指定させることを特徴とする。
【００４３】
この構成により、コンテンツ再生端末装置と同様の作用が得られる。
【００４４】
また、本発明に係るコンテンツ受信再生端末装置システムは、ネットワークを介してコンテンツ配信サーバから配信されたコンテンツを受信するコンテンツ受信端末装置と、前記コンテンツ配信サーバでのコンテンツ配信の状態を制御するための配信制御情報を前記コンテンツ受信端末装置へ送信し前記コンテンツ受信端末装置が受信したコンテンツを再生する複数のコンテンツ再生端末装置とを備えるコンテンツ受信再生端末システムであって、前記コンテンツ受信端末装置は、前記コンテンツ配信サーバから配信されたコンテンツを受信するコンテンツ受信手段と、前記コンテンツ再生端末装置のいずれかへ受信したコンテンツを転送するコンテンツ転送手段と、配信制御情報を前記コンテンツ再生端末装置から受け付けて判別する配信制御情報受付手段と、判別された配信制御情報がコンテンツの配信一時停止を要求する配信一時停止要求情報である場合は前記コンテンツ配信サーバに対してコンテンツの配信一時停止を要求する配信一時停止要求手段と、判別された配信制御情報がコンテンツの配信再開を要求する配信再開要求情報である場合は前記コンテンツ配信サーバに対してコンテンツの配信再開を要求する配信再開要求手段とを備え、前記コンテンツ転送手段は、前記配信再開要求情報で指定された前記コンテンツ再生端末装置へ配信再開によって受信したコンテンツを転送する構成としてあり、前記コンテンツ再生端末装置は、前記コンテンツ受信端末装置から転送されたコンテンツを受信する再生コンテンツ受信手段と、該再生コンテンツ受信手段が受信したコンテンツを再生するコンテンツ再生手段と、コンテンツの視聴の状態を指定するための視聴状態指定情報の入力を受け付けて判別する視聴状態指定情報入力受付手段と、判別された視聴状態指定情報がコンテンツの視聴一時停止を指定する視聴一時停止指定情報である場合はコンテンツの配信一時停止を前記コンテンツ配信サーバに対して要求する配信一時停止要求情報を配信制御情報として前記コンテンツ受信端末装置へ送信する配信一時停止要求情報送信手段と、判別された視聴状態指定情報がコンテンツの視聴再開を指定する視聴再開指定情報である場合はコンテンツの配信再開を前記コンテンツ配信サーバに対して要求する配信再開要求情報を配信制御情報として前記コンテンツ受信端末装置へ送信する配信再開要求情報送信手段とを備え、前記配信再開要求情報送信手段は、配信再開によって前記コンテンツ受信端末装置が受信するコンテンツの転送先を前記配信再開要求情報で指定する構成としてあることを特徴とする。
【００４５】
この構成により、視聴が一時停止されたコンテンツの視聴再開を指定する視聴再開指定情報（視聴状態指定情報）に対応させた配信再開要求情報（配信制御情報）をコンテンツ再生端末装置からコンテンツ受信端末装置へ送信し、配信制御情報（配信再開要求情報）に応じてコンテンツ受信端末装置からコンテンツ配信サーバに対して配信再開を要求することが可能となる。つまり、配信再開がされたコンテンツをコンテンツ受信端末装置で受信し、配信再開要求情報で指定された転送先としてのコンテンツ再生端末装置へ転送することが可能となるので、視聴が一時停止されたコンテンツの視聴再開（継続視聴）を転送先（視聴を一時停止したコンテンツ再生端末装置とは異なる別のコンテンツ再生端末装置）で容易かつ正確に行なうことが可能なコンテンツ受信再生端末システムとなる。
【発明の効果】
【００４６】
本発明に係るコンテンツ受信端末装置、コンテンツ受信端末装置のコンテンツ受信方法、コンテンツ受信端末装置のコンテンツ受信プログラムによれば、コンテンツ配信サーバから配信されたコンテンツを受信するコンテンツ受信手段（コンテンツ受信ステップ）と、コンテンツを再生する複数のコンテンツ再生端末装置のいずれかへ受信したコンテンツを転送するコンテンツ転送手段（コンテンツ転送ステップ）とを備え、配信制御情報をコンテンツ再生端末装置から受け付けて判別する配信制御情報受付手段（配信制御情報受付ステップ）と、コンテンツ配信サーバに対してコンテンツの配信一時停止を要求する配信一時停止要求手段（配信一時停止要求ステップ）と、コンテンツ配信サーバに対してコンテンツの配信再開を要求する配信再開要求手段（配信再開要求ステップ）とを備え、コンテンツ転送手段（コンテンツ転送ステップ）は、配信再開要求情報で指定されたコンテンツ再生端末装置へ配信再開によって受信したコンテンツを転送する構成としてあることから、配信が一時停止されたコンテンツの配信再開をコンテンツ再生端末装置からの配信制御情報（配信再開要求情報）に応じてコンテンツ配信サーバに対して要求することが可能となるので、配信が一時停止されたコンテンツの配信再開による視聴再開（継続視聴）を容易かつ正確に行なうことが可能となるという効果を奏する。
【００４７】
つまり、コンテンツ配信サーバでの変更を全く必要とせずに、配信の一時停止を行なったコンテンツ再生端末装置とは異なる別のコンテンツ再生端末装置での視聴再開を容易かつ簡単な操作で実行させることができるコンテンツ受信端末装置（コンテンツ受信方法、コンテンツ受信プログラム）とすることが可能となる。
【００４８】
また、本発明に係るコンテンツ再生端末装置、コンテンツ受信端末装置のコンテンツ再生方法、コンテンツ受信端末装置のコンテンツ再生プログラムによれば、コンテンツ配信サーバから配信されコンテンツ受信端末装置が受信して転送したコンテンツを受信する再生コンテンツ受信手段（再生コンテンツ受信ステップ）と、再生コンテンツ受信手段（再生コンテンツ受信ステップ）が受信したコンテンツを再生するコンテンツ再生手段（コンテンツ再生ステップ）とを備え、コンテンツ配信サーバでのコンテンツ配信の状態を制御するための配信制御情報をコンテンツ受信端末装置へ送信し、視聴状態指定情報の入力を受け付けて判別する視聴状態指定情報入力受付手段（視聴状態指定情報入力受付ステップ）と、コンテンツの配信一時停止をコンテンツ配信サーバに対して要求する配信一時停止要求情報をコンテンツ受信端末装置へ送信する配信一時停止要求情報送信手段（配信一時停止要求情報送信ステップ）と、配信再開をコンテンツ配信サーバに対して要求する配信再開要求情報をコンテンツ受信端末装置へ送信する配信再開要求情報送信手段（配信再開要求情報送信ステップ）とを備え、配信再開要求情報送信手段（配信再開要求情報送信ステップ）は、配信再開によってコンテンツ受信端末装置が受信するコンテンツの転送先を配信再開要求情報で指定する構成としてあることから、視聴が一時停止されたコンテンツの視聴再開を指定する視聴再開指定情報（視聴状態指定情報）に対応させた配信再開要求情報（配信制御情報）をコンテンツ受信端末装置へ送信し、コンテンツ配信サーバからのコンテンツの配信再開を制御することが可能となるので、視聴が一時停止されたコンテンツの視聴再開（継続視聴）をコンテンツ配信サーバでの変更を全く必要とせずに配信再開要求情報で指定された転送先で容易かつ正確に行なうことが可能となるという効果を奏する。
【００４９】
つまり、コンテンツ配信サーバでの変更を全く必要とせずに、配信の一時停止を行なったコンテンツ再生端末装置とは異なる別のコンテンツ再生端末装置での視聴再開を容易かつ簡単な操作で実行させることができるコンテンツ再生端末装置（コンテンツ再生方法、コンテンツ再生プログラム）とすることが可能となる。
【００５０】
また、本発明に係るコンテンツ受信再生端末システムによれば、コンテンツ配信サーバから配信されたコンテンツを受信するコンテンツ受信端末装置と、コンテンツ配信サーバでのコンテンツ配信の状態を制御するための配信制御情報をコンテンツ受信端末装置へ送信しコンテンツ受信端末装置が受信したコンテンツを再生する複数のコンテンツ再生端末装置とを備え、コンテンツ受信端末装置は、本願発明に係るコンテンツ受信端末装置とし、コンテンツ再生端末装置は、本願発明に係るコンテンツ再生端末装置とすることから、視聴が一時停止されたコンテンツの視聴再開を指定する視聴再開指定情報（視聴状態指定情報）に対応させた配信再開要求情報（配信制御情報）をコンテンツ再生端末装置からコンテンツ受信端末装置へ送信し、配信制御情報（配信再開要求情報）に応じてコンテンツ受信端末装置からコンテンツ配信サーバに対して配信再開を要求することが可能となる。したがって、配信再開がされたコンテンツをコンテンツ受信端末装置で受信し、配信再開要求情報で指定された転送先としてのコンテンツ再生端末装置へ転送することが可能となるので、視聴が一時停止されたコンテンツの視聴再開（継続視聴）をコンテンツ配信サーバでの変更を全く必要とせずに転送先で容易かつ正確に行なうことが可能となるという効果を奏する。
【００５１】
つまり、コンテンツ配信サーバでの変更を全く必要とせずに、配信の一時停止を行なったコンテンツ再生端末装置とは異なる別のコンテンツ再生端末装置での視聴再開を容易かつ簡単な操作で実行させることができるコンテンツ受信再生端末システムとすることが可能となる。
【発明を実施するための最良の形態】
【００５２】
以下、本発明の実施の形態を図面に基づいて説明する。
【００５３】
図１は、本発明の実施の形態に係るコンテンツ受信再生端末システムを構成するコンテンツ受信端末装置、コンテンツ再生端末装置の関係を概念的に示す概略構成ブロック図である。
【００５４】
例えばインターネットで構成されたネットワークＮＷには、ユーザ向けの映像、音声など各種コンテンツを配信するコンテンツ配信サーバ１０が配置してあり、ネットワークＮＷを介してコンテンツを配信する。コンテンツ配信サーバ１０のコンテンツの配信に関連してコンテンツ配信での認証、決済を行なう認証／決済サーバ１１がネットワークＮＷに配置してある。
【００５５】
コンテンツ配信サーバ１０と認証／決済サーバ１１とは、別の構成として図示したが、認証／決済サーバ１１は、コンテンツ配信サーバ１０に内蔵されコンテンツ配信サーバ１０と一体のものとして構成することが可能である。以下、コンテンツ配信サーバ１０には、認証／決済サーバ１１が含まれることがある。
【００５６】
なお、本実施の形態では、コンテンツ配信サーバ１０は、ＲＴＳＰ（Ｒｅａｌ  Ｔｉｍｅ  Ｓｔｒｅａｍ  Ｐｒｏｔｏｃｏｌ）に従ってコンテンツの配信を行なう場合を例示するがこれに限るものではない。
【００５７】
コンテンツの配信を利用するユーザは、コンテンツ配信サーバ１０から配信されたコンテンツを例えば家庭内に設置したコンテンツ受信端末装置１００で受信する。コンテンツ受信端末装置１００が受信したコンテンツは、例えば家庭内に構築された構内情報通信網ＬＡＮ（Ｌｏｃａｌ  Ａｒｅａ  Ｎｅｔｗｏｒｋ）を介して接続されたコンテンツ再生端末装置２００Ａまたはコンテンツ再生端末装置２００Ｂへ転送され、転送されたコンテンツはコンテンツ再生端末装置２００Ａまたはコンテンツ再生端末装置２００Ｂ（以下、コンテンツ再生端末装置２００Ａおよびコンテンツ再生端末装置２００Ｂを区別する必要が無い場合は、単にコンテンツ再生端末装置２００とすることもある。）で再生（映像、音声などの情報の出力）される。
【００５８】
コンテンツ受信端末装置１００は、例えばゲートウェイ装置で構成され、コンテンツ再生端末装置２００Ａおよびコンテンツ再生端末装置２００Ｂは、例えばテレビジョン受像機で構成される。
【００５９】
上述したとおり、本実施の形態に係るコンテンツ受信再生端末システムは、ネットワークＮＷを介してコンテンツ配信サーバ１０から配信されたコンテンツを受信するコンテンツ受信端末装置１００と、コンテンツ受信端末装置１００が受信し転送したコンテンツを再生する複数のコンテンツ再生端末装置２００（例えば、コンテンツ再生端末装置２００Ａおよびコンテンツ再生端末装置２００Ｂ）とを備える構成としてある。
【００６０】
また、コンテンツ受信端末装置１００は、コンテンツ再生端末装置２００からの配信制御情報ＣＭＤに基づいてコンテンツ配信サーバ１０に対する要求（コンテンツの配信開始／配信停止／配信一時停止／配信再開の各要求）を実行する形態としてある。
【００６１】
つまり、コンテンツ受信端末装置１００は、例えば家庭内転送しているコンテンツの視聴状態を管理する構成としてある。
【００６２】
図２は、本発明の実施の形態に係るコンテンツ受信端末装置の内部構成の概略を示す概略構成ブロック図である。
【００６３】
コンテンツ受信端末装置１００は、例えばＣＰＵ（Ｃｅｎｔｒａｌ  Ｐｒｏｃｅｓｓｉｎｇ  Ｕｎｉｔ）で構成される制御部１０１を備え、制御部１０１によってコンテンツ受信端末装置として必要な制御を行なう。
【００６４】
制御部１０１には、外用通信部１０２、内用通信部１０３、ＲＯＭ（Ｒｅａｄ  Ｏｎｌｙ  Ｍｅｍｏｒｙ）１０４、ＲＡＭ（Ｒａｎｄｏｍ  Ａｃｃｅｓｓ  Ｍｅｍｏｒｙ）１０５が接続され必要な連携処理を実行できる構成としてある。
【００６５】
ネットワークＮＷを介してコンテンツ配信サーバ１０から配信されたコンテンツは、外用通信部１０２で受信され、制御部１０１によって実行されるコンピュータプログラム（以下、単にプログラムともいう。）によって各種の処理が実行された後、内用通信部１０３から構内情報通信網ＬＡＮを介してコンテンツ再生端末装置２００Ａまたはコンテンツ再生端末装置２００Ｂへ送信される。
【００６６】
制御部１０１によって実行されるプログラムは、一般的なＣＰＵによるコンピュータプログラムの実行と同様に処理され、例えば、プログラムメモリとしてのＲＯＭ１０４に予めインストールされて保存され、実行時に一時メモリとしてのＲＡＭ１０５に展開され、制御部１０１によって実行される。
【００６７】
図３は、本発明の実施の形態に係るコンテンツ再生端末装置の内部構成の概略を示す概略構成ブロック図である。
【００６８】
コンテンツ再生端末装置２００は、上述したとおり、ネットワークＮＷを介してコンテンツ配信サーバ１０から配信されコンテンツ受信端末装置１００が受信して転送したコンテンツを受信する。また、コンテンツ配信サーバ１０でのコンテンツ配信の状態を制御するための配信制御情報ＣＭＤ（図５参照）をコンテンツ受信端末装置１００へ送信する。
【００６９】
コンテンツ再生端末装置２００（コンテンツ再生端末装置２００Ａ、コンテンツ再生端末装置２００Ｂ）は、例えばＣＰＵで構成される制御部２０１を備え、制御部２０１によってコンテンツ再生端末装置として必要な制御を行なう。
【００７０】
制御部２０１には、再生通信部２０２、表示部２０３、音声出力部２０４、視聴状態指定情報入力部２０５、ＲＯＭ２０６、ＲＡＭ２０７、デコーダ部２０８が接続され必要な連携処理を実行できる構成としてある。
【００７１】
構内情報通信網ＬＡＮを介してコンテンツ受信端末装置１００から転送されたコンテンツは、再生通信部２０２で受信され、制御部２０１によって実行されるプログラムによって各種の処理が実行された後、デコーダ部２０８によって復号処理が施され、表示部２０３および音声出力部２０４によって再生（映像の表示、音声の出力など）が行なわれる。
【００７２】
リモートコントローラ２１０は、チャンネル変更、各種設定、入力などの遠隔操作を行なう端末として操作対象としてのコンテンツ再生端末装置２００に対応して配置される。つまり、ユーザは、コンテンツ再生端末装置２００に対して赤外線信号ＩＲによる送信が可能なリモートコントローラ２１０を介してコンテンツ再生端末装置２００を制御することができる構成としてある。
【００７３】
なお、コンテンツ再生端末装置２００Ａには、コンテンツの視聴の状態（ユーザの希望視聴状態）を指定する視聴状態指定情報ＲＣＭＤ（図９参照）をリモートコントローラ２１０から受信する入力部として視聴状態指定情報入力部２０５が設けてある。視聴状態指定情報入力部２０５は、リモートコントローラ２１０からの赤外線信号ＩＲを検出できるように光電変換回路などを含む構成としてある。
【００７４】
リモートコントローラ２１０の代わりに例えば、画面上に表示されたアイコンによるボタンスイッチ、コンテンツ再生端末装置２００本体に配置されたキースイッチなどを介して適宜入力し、操作する構成とすることも可能である。この場合には、光電変換回路が不要となり、視聴状態指定情報入力部２０５の構成を簡略化することが可能となる。
【００７５】
制御部２０１によって実行されるプログラムは、一般的なＣＰＵによるコンピュータプログラムの実行と同様に処理され、例えば、プログラムメモリとしてのＲＯＭ２０６に予めインストールされて保存され、実行時に一時メモリとしてのＲＡＭ２０７に展開され、制御部２０１によって実行される。
【００７６】
コンテンツ再生端末装置２００Ａ、コンテンツ再生端末装置２００Ｂは、上述したとおり互いに同様の構成を備えているが、他の部分では異なる構成を有することも可能である。
【００７７】
図４は、本発明の本実施の形態に係るコンテンツ受信端末装置の機能構成の概略を示す概略機能ブロック図である。
【００７８】
制御部１０１は、上述したとおりインストールされたプログラムに基づく各種の機能（機能実現手段）を構成することにより各種の処理を行なうことができる。
【００７９】
つまり、コンテンツ受信端末装置１００は、機能実現手段として、例えば、配信制御情報受付手段１１１、認証処理手段１１２、決済処理手段１１３、配信開始要求手段１１４、コンテンツ受信手段１１５、コンテンツ転送手段１１６、配信停止要求手段１１７、配信一時停止要求手段１１８、コンテンツリスト生成更新手段１１９、配信再開要求手段１２０、一時停止コンテンツリスト生成手段１２１、一時停止コンテンツリスト送信手段１２２などを構成してそれぞれに対応する各種の処理を行なわせる。
【００８０】
なお、本実施の形態では、コンテンツ配信サーバ１０との間の認証／課金処理はコンテンツ受信端末装置１００で管理される構成としてあることから、上述したとおり、認証処理手段１１２、決済処理手段１１３を備えた構成としてある。
【００８１】
配信制御情報受付手段１１１は、コンテンツ配信サーバ１０でのコンテンツ配信の状態を制御するための配信制御情報ＣＭＤ（図５参照）をコンテンツ再生端末装置２００から受け付け、配信制御情報ＣＭＤの内容を判別する。コンテンツ再生端末装置２００からの配信制御情報ＣＭＤは、内用通信部１０３を介して配信制御情報受付手段１１１へ入力される。
【００８２】
配信制御情報受付手段１１１がコンテンツ再生端末装置２００（コンテンツ再生端末装置２００Ａまたはコンテンツ再生端末装置２００Ｂ）から受け付けて判別する配信制御情報ＣＭＤとしては、例えば、コンテンツの配信開始を要求する配信開始要求情報ＣＭＤａ（図５（Ａ）参照）、コンテンツの配信一時停止を要求する配信一時停止要求情報ＣＭＤｂ（図５（Ｂ）参照）、コンテンツの配信再開を要求する配信再開要求情報ＣＭＤｃ（図５（Ｃ）参照）、コンテンツの配信停止を要求する配信停止要求情報ＣＭＤｄ（図５（Ｄ）参照）、コンテンツの配信を一時停止しているコンテンツのリストである一時停止コンテンツリストＣＬｐｓ（図６（Ｂ）参照）を要求する一時停止コンテンツリスト要求情報ＣＭＤｅ（図５（Ｅ）参照）が規定してある。
【００８３】
認証処理手段１１２は、配信したコンテンツを受信するコンテンツ受信端末装置１００（視聴しているユーザ）が正規のユーザとして認証されているか否かの判断および認証されていない場合に認証に必要な処理を行なう。
【００８４】
認証処理手段１１２は、例えば、コンテンツ受信端末装置１００に予め登録、保存してあるユーザＩＤとパスワードを暗号化してコンテンツ配信サーバ１０（認証／決済サーバ１１）に送信する。認証／決済サーバ１１は、受信した情報を復号化してユーザＩＤとパスワードが正規の情報であることを確認した後、以降の処理を継続する。
【００８５】
決済処理手段１１３は、配信するコンテンツが有料である場合、例えば、課金を行なうための契約が行なわれていること、引き落としを行なうための口座情報やクレジットカード情報が登録されていることを確認する。また、コンテンツに対して課金処理が既に行なわれているか否かの判断を行ない、必要に応じた課金処理（決済）を行なう。
【００８６】
配信開始要求手段１１４は、配信制御情報受付手段１１１で判別された配信制御情報ＣＭＤがコンテンツの配信開始を要求する配信開始要求情報ＣＭＤａである場合に、コンテンツ配信サーバ１０に対してコンテンツの配信開始を要求する。
【００８７】
なお、認証処理手段１１２は、判別された配信制御情報ＣＭＤがコンテンツの配信開始を要求する配信開始要求情報ＣＭＤａである場合はコンテンツ配信サーバ１０に対する認証状況を判断し、認証がされていないと判断したときはコンテンツ配信サーバ１０に対する認証処理を行なう。
【００８８】
したがって、コンテンツの配信開始を要求しているコンテンツ受信端末装置１００が正規のユーザ（端末）であることをコンテンツ配信サーバ１０に対して確認することが可能となり、コンテンツ再生端末装置２００での認証を行なう必要が無くなるので、コンテンツ再生端末装置２００でのコンテンツ継続視聴を簡単な操作で容易に行なうことが可能となる。
【００８９】
また、決済処理手段１１３は、判別された配信制御情報ＣＭＤがコンテンツの配信開始を要求する配信開始要求情報ＣＭＤａである場合には、配信開始を要求しているコンテンツについての決済状況をコンテンツ配信サーバ１０に対して問い合わせ、決済がされていないときは配信開始を要求しているコンテンツについての決済処理をコンテンツ配信サーバ１０（つまり、本実施の形態では認証／決済サーバ１１）に対して行なう。
【００９０】
したがって、配信開始を要求しているコンテンツに対する決済処理をコンテンツ受信端末装置１００からコンテンツ配信サーバ１０（認証／決済サーバ１１）に対して行なうことが可能となり、コンテンツ再生端末装置２００での決済を行なう必要が無くなるので、コンテンツ再生端末装置２００でのコンテンツ継続視聴を簡単な操作で容易に行なうことが可能となる。
【００９１】
コンテンツ受信手段１１５は、ネットワークＮＷを介してコンテンツ配信サーバ１０から配信されたコンテンツを受信する。なお、外用通信部１０２は、制御部１０１と連携してコンテンツ受信手段１１５を構成する。
【００９２】
コンテンツ転送手段１１６は、コンテンツを再生する複数のコンテンツ再生端末装置２００（コンテンツ再生端末装置２００Ａおよびコンテンツ再生端末装置２００Ｂ）のいずれか配信再開要求情報ＣＭＤｃで指定された方（図５（Ｃ）参照）へコンテンツ受信手段１１５が受信したコンテンツを転送する。なお、内用通信部１０３は、制御部１０１と連携してコンテンツ転送手段１１６を構成する。
【００９３】
また、指定は、必要に応じて、またコンテンツ受信端末装置１００の機能に応じてコンテンツ再生端末装置２００Ａおよびコンテンツ再生端末装置２００Ｂのいずれかまたは双方の指定とすることが可能である。
【００９４】
配信停止要求手段１１７は、配信制御情報受付手段１１１で判別された配信制御情報ＣＭＤがコンテンツの配信停止を要求する配信停止要求情報ＣＭＤｄである場合に、コンテンツ配信サーバ１０に対してコンテンツの配信停止を要求する。
【００９５】
配信一時停止要求手段１１８は、配信制御情報受付手段１１１で判別された配信制御情報ＣＭＤがコンテンツの配信一時停止を要求する配信一時停止要求情報ＣＭＤｂである場合に、コンテンツ配信サーバ１０に対してコンテンツの配信一時停止を要求する。
【００９６】
コンテンツリスト生成更新手段１１９は、コンテンツ受信端末装置１００が視聴状況を把握しているコンテンツの状況を一覧で示すコンテンツリストＣＬｓｔ（図６参照）を生成し、あるいは更新する。例えば、新規にコンテンツの配信開始を要求し、コンテンツの受信を新規に開始した場合に生成し、コンテンツの受信を追加した場合に更新する形態としてある。なお、コンテンツリストＣＬｓｔは、ＲＡＭ１０５に記憶しておく。
【００９７】
また、コンテンツリスト生成更新手段１１９は、配信一時停止要求手段１１８が配信一時停止要求情報ＣＭＤｂに基づいてコンテンツの配信一時停止を要求した場合にも、コンテンツリストＣＬｓｔを更新する形態としてある。コンテンツの配信一時停止に伴うコンテンツリストＣＬｓｔの更新は、例えば「視聴状況」欄を「視聴中」から「中断中」へと変更することでなされる（図６（Ａ）と図６（Ｂ）との相違を参照）。
【００９８】
配信再開要求手段１２０は、配信制御情報受付手段１１１で判別された配信制御情報ＣＭＤがコンテンツの配信再開を要求する配信再開要求情報ＣＭＤｃである場合に、コンテンツ配信サーバ１０に対してコンテンツの配信再開を要求する。
【００９９】
上述したとおり、本実施の形態に係るコンテンツ受信端末装置１００は、配信制御情報受付手段１１１、コンテンツ受信手段１１５、コンテンツ転送手段１１６、配信一時停止要求手段１１８、配信再開要求手段１２０を備え、コンテンツ転送手段１１６は、配信再開要求情報ＣＭＤｃで指定されたコンテンツ再生端末装置２００（転送先）へ配信再開によって受信したコンテンツを転送する構成としてある。
【０１００】
したがって、この構成により、コンテンツ受信端末装置１００は、配信が一時停止されたコンテンツの配信再開をコンテンツ再生端末装置２００からの配信制御情報ＣＭＤ（配信再開要求情報ＣＭＤｃ）に応じてコンテンツ配信サーバ１０に対して要求することが可能となるので、配信が一時停止されたコンテンツの配信再開による視聴再開（継続視聴）を容易かつ正確に指定されたコンテンツ再生端末装置２００で行なうことが可能となる。
【０１０１】
つまり、コンテンツ配信サーバでの変更を全く必要とせずに、配信の一時停止を行なったコンテンツ再生端末装置（例えばコンテンツ再生端末装置２００Ａ）とは異なる別のコンテンツ再生端末装置（例えばコンテンツ再生端末装置２００Ｂ）での視聴再開を容易かつ簡単な操作で実行することが可能となる。
【０１０２】
また、一時停止コンテンツリスト生成手段１２１は、配信制御情報受付手段１１１で判別された配信制御情報ＣＭＤが一時停止コンテンツリストＣＬｐｓを要求する一時停止コンテンツリスト要求情報ＣＭＤｅである場合に、一時停止コンテンツリストＣＬｐｓを生成する。なお、生成した一時停止コンテンツリストＣＬｐｓは、ＲＡＭ１０５に記憶しておく。
【０１０３】
一時停止コンテンツリスト送信手段１２２は、一時停止コンテンツリスト要求情報ＣＭＤｅを要求してきたコンテンツ再生端末装置２００（コンテンツ再生端末装置２００Ａまたはコンテンツ再生端末装置２００Ｂ）へ生成した一時停止コンテンツリストＣＬｐｓを送信する。
【０１０４】
コンテンツ受信端末装置１００は、一時停止コンテンツリスト生成手段１２１および一時停止コンテンツリスト送信手段１２２を備えることから、一時停止中のコンテンツのリスト（一時停止コンテンツリストＣＬｐｓ）を生成して、コンテンツ再生端末装置２００へ送信することができる。
【０１０５】
したがって、コンテンツ再生端末装置２００では、一時停止コンテンツリストＣＬｐｓをコンテンツ受信端末装置１００から容易かつ正確に取得できるので、ユーザが配信再開を希望するコンテンツを一時停止コンテンツリストＣＬｐｓから容易に選択、指定できるので、一時停止したコンテンツの継続視聴を容易に行なうことが可能となる。
【０１０６】
図５は、本発明の本実施の形態に係るコンテンツ受信端末装置が受け付けて判別する配信制御情報の構成例を概念的に示す説明図であり、（Ａ）は配信開始要求情報、（Ｂ）は配信一時停止制御情報、（Ｃ）は配信再開要求情報、（Ｄ）配信停止要求情報、（Ｅ）は一時停止コンテンツリスト要求情報のデータ構成図である。
【０１０７】
上述したとおり配信制御情報ＣＭＤとしては、例えば、コンテンツの配信開始を要求する配信開始要求情報ＣＭＤａ、コンテンツの配信一時停止を要求する配信一時停止要求情報ＣＭＤｂ、コンテンツの配信再開を要求する配信再開要求情報ＣＭＤｃ、コンテンツの配信停止を要求する配信停止要求情報ＣＭＤｄ、一時停止コンテンツリストＣＬｐｓを要求する一時停止コンテンツリスト要求情報ＣＭＤｅが設定してある。
【０１０８】
配信開始要求情報ＣＭＤａは、コンテンツの配信開始（コンテンツの視聴開始）を要求する配信制御情報ＣＭＤであり、例えば制御情報文字列の初めに「ＰＬＡＹ」と標記される。また、例えば、コンテンツを一意に識別するコンテンツＩＤ（ｃｏｎｔｅｎｔｉｄ）や、コンテンツの所在を表すコンテンツＵＲＬ（ｃｏｎｔｅｎｔｕｒｌ）、ユーザを一意に識別する識別子であるユーザＩＤ（ｕｓｅｒｉｄ）、配信制御情報ＣＭＤの送信元端末を識別する識別子である制御元情報（ｒｅｑｕｅｓｔ）などが含まれる。
【０１０９】
コンテンツＩＤやコンテンツＵＲＬはコンテンツ配信サーバ１０によって決定される変数で、コンテンツ再生端末装置２００がコンテンツ配信サーバ１０から取得する情報である。本実施の形態では、コンテンツ配信サーバ１０、コンテンツ受信端末装置１００、コンテンツ再生端末装置２００（コンテンツ再生端末装置２００Ａ、コンテンツ再生端末装置２００Ｂ）は、コンテンツＩＤおよびコンテンツＵＲＬを共有し、コンテンツ配信サーバ１０内にある複数のコンテンツの中からコンテンツを一意に特定できる構成としてある。
【０１１０】
ユーザＩＤは、コンテンツ受信端末装置１００およびコンテンツ再生端末装置２００が共有する構成としてあり、複数のユーザ（例えば、コンテンツ再生端末装置２００Ａ、コンテンツ再生端末装置２００Ｂ）が一つのコンテンツに対してアクセスする場合にユーザごとにアクションを切り分けるためのものである。
【０１１１】
配信一時停止要求情報ＣＭＤｂは、コンテンツの配信一時停止（コンテンツの視聴一時停止）を要求する配信制御情報ＣＭＤであり、例えば制御情報文字列の初めに「ＰＡＵＳＥ」と標記される。また、例えば、上述したコンテンツＩＤおよびユーザＩＤを含む構成として配信一時停止の対象となるコンテンツおよびユーザを識別させてある。
【０１１２】
配信再開要求情報ＣＭＤｃは、コンテンツの配信再開（コンテンツの視聴再開）を要求する配信制御情報ＣＭＤであり、例えば制御情報文字列の初めに「ＲＥＳＴＡＲＴ」と標記される。また、上述したコンテンツＩＤおよびユーザＩＤに加えて、配信再開の対象となるコンテンツの転送先を識別する識別子である転送先情報（ｓｅｎｄｔｏ）によって、転送先を指定してある。
【０１１３】
例えば、配信開始要求情報ＣＭＤａ（同図（Ａ））では、制御元情報（ｒｅｑｕｅｓｔ）が「テレビａ」であり、例えばコンテンツ再生端末装置２００Ａに対してコンテンツの配信が行なわれる。これに対して、配信再開要求情報ＣＭＤｃ（同図（Ｃ））では、転送先情報（「ｓｅｎｄｔｏ」）が「テレビｂ」としてあり、例えばコンテンツ再生端末装置２００Ｂを転送先としてコンテンツの配信再開が行なわれることが示してある。
【０１１４】
配信停止要求情報ＣＭＤｄは、コンテンツの配信停止（コンテンツの視聴停止）を要求する配信制御情報ＣＭＤであり、例えば制御文字列の初めに「ＳＴＯＰ」と標記される。また、例えば、上述したコンテンツＩＤおよびユーザＩＤを含む構成として配信停止の対象となるコンテンツおよびユーザを識別させてある。
【０１１５】
一時停止コンテンツリスト要求情報ＣＭＤｅは、配信を一時停止したコンテンツのリストである一時停止コンテンツリストＣＬｐｓを要求する配信制御情報ＣＭＤであり、例えば制御文字列の初めに「ＧＥＴ＿ＬＩＳＴ」と標記される。また、例えば、ユーザＩＤを含む構成として一時停止コンテンツリストＣＬｐｓの対象となるユーザを識別させてある。
【０１１６】
図６は、本発明の本実施の形態に係るコンテンツ受信端末装置が生成／更新するコンテンツリストの構成例を示す説明図表であり、（Ａ）はある時点で更新する前のリスト状態例を示し、（Ｂ）は更新した後のリスト状態例を示す。
【０１１７】
コンテンツリストＣＬｓｔは、上述したとおりコンテンツリスト生成更新手段１１９によって生成／更新される。一時停止コンテンツリストＣＬｐｓは、「コンテンツＩＤ」「コンテンツ名」「視聴端末ＩＤ」「視聴状況」「視聴中断位置」などの情報を一覧形式で表示できるようにしてある。
【０１１８】
同図（Ａ）に示すコンテンツリストＣＬｓｔでは、例えば、「視聴端末ＩＤ」欄が「テレビａ」（例えば、コンテンツ再生端末装置２００Ａに対応する。）については、「スポーツ１」が視聴されていることから、「コンテンツ名」欄に「スポーツ１」、「視聴状況」欄に「視聴中」が示されている。
【０１１９】
また、同図（Ａ）に示すコンテンツリストＣＬｓｔでは、例えば、「視聴端末ＩＤ」欄が「テレビｘ」「テレビｙ」「テレビｚ」については、「コンテンツ名」欄にそれぞれ「音楽１」「映画１」「映画２」が示され、「視聴状況」欄にそれぞれ「中断中」「視聴中」「視聴中」として示されている。
【０１２０】
つまり、コンテンツ再生端末装置２００Ａとは異なるコンテンツ再生端末装置２００（例えばテレビｘ、テレビｙ、テレビｚ）がコンテンツ受信端末装置１００に接続してあり、「テレビｘ」では「音楽１」を視聴していたが、視聴を一時停止していることから「視聴中断位置」欄で「００：１５：００」（例えば、時：分：秒）として示され、一時停止していることが示されている。
【０１２１】
コンテンツ再生端末装置２００では、一時停止コンテンツリストＣＬｐｓに「視聴中断位置」を記録する形態としてあることから、配信再開のときに再開位置を容易にコンテンツ配信サーバ１０に対して通知することが可能となる。
【０１２２】
また、「テレビｙ」「テレビｚ」では、それぞれ「映画１」「映画２」が視聴されていることが示されている。
【０１２３】
コンテンツリスト生成更新手段１１９は、配信制御情報ＣＭＤにより配信状態（視聴状態）が変動する都度、コンテンツリストＣＬｓｔを生成（更新）する形態としてある。なお、コンテンツリスト生成更新手段１１９がコンテンツリストＣＬｓｔを生成／更新する対象とする配信制御情報ＣＭＤの種類は適宜規定することが可能である。
【０１２４】
例えば、配信制御情報受付手段１１１が視聴端末ＩＤ「テレビａ」から配信制御情報ＣＭＤとして配信一時停止要求情報ＣＭＤｂを受け付けた場合は、配信一時停止要求手段１１８がコンテンツ配信サーバ１０に対して配信一時停止を要求する。また、コンテンツリスト生成更新手段１１９は、コンテンツリストＣＬｓｔを更新する。
【０１２５】
つまり、コンテンツリスト生成更新手段１１９によってコンテンツリストＣＬｓｔは更新され、例えば同図（Ｂ）で示す状態に変更される。「視聴端末ＩＤ」欄の「テレビａ」について「視聴状況」欄は、「視聴中」から「中断中」へと変更され、「視聴中断位置」欄に中断位置が「０１：３０：００」として示される。つまり、一時停止コンテンツリストＣＬｐｓとしては、「視聴中断位置」欄のデータが追加された状態となる。
【０１２６】
なお、一時停止コンテンツリストＣＬｐｓでは、視聴端末ＩＤ欄に「テレビｂ」（例えば、コンテンツ再生端末装置２００Ｂに対応する。）が全く示されていないことから、コンテンツ再生端末装置２００Ｂでは、コンテンツの視聴は全くされていない状態となっていることが示されている。
【０１２７】
なお、配信制御情報ＣＭＤが一時停止コンテンツリストＣＬｐｓを要求する一時停止コンテンツリスト要求情報ＣＭＤｅである場合に、一時停止コンテンツリスト生成手段１２１は、一時停止コンテンツリストＣＬｐｓを生成する。同図（Ｂ）では、一時停止コンテンツリストＣＬｐｓを併せて示してある。
【０１２８】
コンテンツリストＣＬｓｔおよび一時停止コンテンツリストＣＬｐｓは、一体として表示する形態としても良い。また、一時停止コンテンツリストＣＬｐｓとしては、コンテンツリストＣＬｓｔで「視聴状況」欄が「中断中」となっている「視聴端末ＩＤ」を選択して示す形態としても良い（つまり、図６（Ｂ）で一時停止コンテンツリストＣＬｐｓとして示した例えば３段のみを表示する形態としても良い。）。
【０１２９】
図７Ａないし図７Ｆに基づいて、本発明の実施の形態に係るコンテンツ受信端末装置で実行される各処理ステップのフロー例を説明する。
【０１３０】
なお、図７Ａないし図７Ｆに示す各処理ステップは、予めＲＯＭ１０４にインストールされたプログラムを制御部１０１に適用し、コンテンツ受信端末装置１００（制御部１０１）をコンピュータとして機能させて実行させることが可能である。
【０１３１】
つまり、図７Ａないし図７Ｆに基づいて、コンテンツ受信端末装置１００のコンテンツ受信方法およびコンテンツ受信プログラムについて説明する。
【０１３２】
図７Ａは、本発明の実施の形態に係るコンテンツ受信端末装置で実行される配信制御情報の受付／判別処理のフロー例を示すフローチャートである。
【０１３３】
ステップＳ１００（以下ステップＳ１５０まで、図７Ａ参照）：
配信制御情報受付手段１１１は、コンテンツ再生端末装置２００Ａ（あるいは、コンテンツ再生端末装置２００Ｂ）から送信されてきた配信制御情報ＣＭＤの受付／判別を行なう（配信制御情報受付ステップ）。なお、コンテンツ再生端末装置２００Ａおよびコンテンツ再生端末装置２００Ｂからの配信制御情報ＣＭＤを同時に受信することは無いものとしてある。
【０１３４】
配信制御情報受付手段１１１は、配信制御情報ＣＭＤを受け付けた（ステップＳ１００）後、ステップＳ１１０（配信開始要求情報ＣＭＤａの判別）、ステップＳ１２０（配信一時停止要求情報ＣＭＤｂの判別）、ステップＳ１３０（一時停止コンテンツリスト要求情報ＣＭＤｅの判別）、ステップＳ１４０（配信停止要求情報ＣＭＤｄの判別）、ステップＳ１５０（配信停止要求情報ＣＭＤｄの判別）の処理を行なう。
【０１３５】
ステップＳ１１０：
配信制御情報受付手段１１１は、受け付けた配信制御情報ＣＭＤが配信開始要求情報ＣＭＤａか否かを判別する（配信制御情報受付ステップ）。
【０１３６】
配信制御情報ＣＭＤが配信開始要求情報ＣＭＤａで無い場合（Ｓ１１０：ＮＯ）は、ステップＳ１２０へ移行する。配信制御情報ＣＭＤが配信開始要求情報ＣＭＤａである場合（Ｓ１１０：ＹＥＳ）は、ステップＳ１１１（図７Ｂ参照）へ移行する。
【０１３７】
ステップＳ１２０：
配信制御情報受付手段１１１は、受け付けた配信制御情報ＣＭＤが配信一時停止要求情報ＣＭＤｂか否かを判別する（配信制御情報受付ステップ）。
【０１３８】
配信制御情報ＣＭＤが配信一時停止要求情報ＣＭＤｂで無い場合（Ｓ１２０：ＮＯ）は、ステップＳ１３０へ移行する。配信制御情報ＣＭＤが配信一時停止要求情報ＣＭＤｂである場合（Ｓ１２０：ＹＥＳ）は、ステップＳ１２２（図７Ｃ参照）へ移行する。
【０１３９】
ステップＳ１３０：
配信制御情報受付手段１１１は、受け付けた配信制御情報ＣＭＤが一時停止コンテンツリスト要求情報ＣＭＤｅか否かを判別する（配信制御情報受付ステップ）。
【０１４０】
配信制御情報ＣＭＤが一時停止コンテンツリスト要求情報ＣＭＤｅで無い場合（Ｓ１３０：ＮＯ）は、ステップＳ１４０へ移行する。配信制御情報ＣＭＤが一時停止コンテンツリスト要求情報ＣＭＤｅである場合（Ｓ１３０：ＹＥＳ）は、ステップＳ１３１（図７Ｄ参照）へ移行する。
【０１４１】
ステップＳ１４０：
配信制御情報受付手段１１１は、受け付けた配信制御情報ＣＭＤが配信再開要求情報ＣＭＤｃか否かを判別する（配信制御情報受付ステップ）。
【０１４２】
配信制御情報ＣＭＤが配信再開要求情報ＣＭＤｃで無い場合（Ｓ１４０：ＮＯ）は、ステップＳ１５０へ移行する。配信制御情報ＣＭＤが配信再開要求情報ＣＭＤｃである場合（Ｓ１４０：ＹＥＳ）は、ステップＳ１４２（図７Ｅ参照）へ移行する。
【０１４３】
ステップＳ１５０：
配信制御情報受付手段１１１は、受け付けた配信制御情報ＣＭＤが配信停止要求情報ＣＭＤｄか否かを判別する（配信制御情報受付ステップ）。
【０１４４】
配信制御情報ＣＭＤが配信停止要求情報ＣＭＤｄで無い場合（Ｓ１５０：ＮＯ）は、ステップＳ１００へ戻る。配信制御情報ＣＭＤが配信再開要求情報ＣＭＤｃである場合（Ｓ１５０：ＹＥＳ）は、ステップＳ１５１（図７Ｆ参照）へ移行する。
【０１４５】
図７Ｂは、本発明の実施の形態に係るコンテンツ受信端末装置で実行される配信開始処理のフロー例を示すフローチャートである。
【０１４６】
ステップＳ１１１（以下ステップＳ１１９まで、図７Ｂ参照）：
判別された配信制御情報ＣＭＤがコンテンツの配信開始を要求する配信開始要求情報ＣＭＤａであるので、コンテンツ受信端末装置１００（制御部１０１）は、認証処理手段１１２および決済処理手段１１３を機能させて、認証／課金処理（認証／決済処理）を実行させる。
【０１４７】
認証処理手段１１２は、コンテンツ配信サーバ１０（認証／決済サーバ１１）に対する認証状況を判断する（認証処理ステップ）。つまり、コンテンツ受信端末装置１００が正規のユーザとして認証されているか否かを判断する。認証がされていないと判断したとき（Ｓ１１１：ＮＯ）は、ステップＳ１１３へ移行する。認証がされている場合（Ｓ１１１：ＹＥＳ）は、ステップＳ１１５へ移行する。
【０１４８】
また、決済処理手段１１３は、配信開始を要求しているコンテンツについての決済状況をコンテンツ配信サーバ１０に対して問い合わせ、決済がされていないときは配信開始を要求しているコンテンツについての決済処理をコンテンツ配信サーバ１０（認証／決済サーバ１１）に対して行なう（決済処理ステップ）。
【０１４９】
つまり、配信開始を要求したコンテンツに対して既に課金処理が実行されているか否かを判断する。有料のコンテンツでありながら決済（課金）がされていないと判断したとき（Ｓ１１１：ＮＯ）は、ステップＳ１１３へ移行する。決済処理が行なわれている場合（Ｓ１１１：ＹＥＳ）は、ステップＳ１１５へ移行する。
【０１５０】
ステップＳ１１３：
認証処理手段１１２は、認証／決済サーバ１１（コンテンツ配信サーバ１０）に対する認証処理を行なう（認証処理ステップ）。決済処理手段１１３は、認証／決済サーバ１１（コンテンツ配信サーバ１０）に対して配信開始を要求しているコンテンツについての決済処理を行なう（決済処理ステップ）。認証／課金処理を実行した後、ステップＳ１１５へ移行する。
【０１５１】
なお、フローチャートでは、認証および課金（決済）の状況に対する判断をまとめてステップＳ１１１とし、認証および課金（決済）処理をまとめてステップＳ１１３としてあるが、認証状況の判断および認証処理をした後、課金状況の判断および課金処理をする形態とすることも可能である。
【０１５２】
ステップＳ１１５：
認証／課金処理が実行された状態で、配信開始要求手段１１４は、外用通信部１０２を介してコンテンツ配信サーバ１０に対してコンテンツの配信開始を要求する（配信開始要求ステップ）。つまり、配信開始要求情報ＣＭＤａをコンテンツ配信サーバ１０に対して送信する。
【０１５３】
すなわち、コンテンツ受信端末装置１００は、コンテンツ配信サーバ１０に対してＲＴＳＰの「ＤＥＳＣＲＩＢＥ／ＳＥＴＵＰ／ＰＬＡＹ」の各リクエストを送信する。
【０１５４】
コンテンツ配信サーバ１０による「ＰＬＡＹ」への応答が修了した後、コンテンツ配信サーバ１０から配信開始を要求した対象のコンテンツの配信が開始される。コンテンツ受信端末装置１００は、外用通信部１０２を介して配信されたコンテンツをコンテンツ受信手段１１５で受信し（コンテンツ受信ステップ）、ステップＳ１１７へ移行し、受信したコンテンツの情報を保存する。
【０１５５】
ステップＳ１１７：
配信開始要求情報ＣＭＤａに基づいて配信されたコンテンツに関する情報をコンテンツリスト生成更新手段１１９によってコンテンツリストＣＬｓｔに新規に保存する。つまり、コンテンツ受信端末装置１００は、コンテンツリストＣＬｓｔを生成／更新する（コンテンツリスト生成／更新ステップ）。
【０１５６】
コンテンツリストＣＬｓｔが対象案件の無いクリアされた状態で新規にコンテンツの情報を保存する場合は、コンテンツリストＣＬｓｔの「生成」に対応し、既にいくつかのコンテンツの情報が保存されている状態で新規にコンテンツの情報を保存する場合は、コンテンツリストＣＬｓｔの「更新」に対応する。
【０１５７】
例えば、コンテンツリストＣＬｓｔに対応する情報としてコンテンツＩＤ（０００００００１）、コンテンツ名（スポーツ１）、視聴端末ＩＤ（テレビａ）、視聴状況（視聴中）を新規に登録して、コンテンツリストＣＬｓｔを更新する。コンテンツリストＣＬｓｔを更新して、例えば図６（Ａ）の状態とすることが可能となる。
【０１５８】
ステップＳ１１９：
コンテンツ受信端末装置１００（制御部１０１）は、外用通信部１０２を介してコンテンツ受信手段１１５で受信したコンテンツをコンテンツ転送手段１１６へ送信し、受信したコンテンツをコンテンツ転送手段１１６によってコンテンツ再生端末装置２００へ転送する（コンテンツ転送ステップ）。
【０１５９】
コンテンツ転送手段１１６は、配信開始要求情報ＣＭＤａの制御元情報「ｒｅｑｕｅｓｔ＝」で特定されている配信制御情報ＣＭＤの送信元端末である「テレビａ」（図５（Ａ）の場合）を転送先として決定し、内用通信部１０３を介して「テレビａ」（コンテンツ再生端末装置２００Ａ）へコンテンツの配信開始に伴って受信したコンテンツの転送を実行する。
【０１６０】
処理を施した後、適宜ステップＳ１００へ戻る。
【０１６１】
図７Ｃは、本発明の実施の形態に係るコンテンツ受信端末装置で実行される配信一時停止処理のフロー例を示すフローチャートである。
【０１６２】
ステップＳ１２２（以下ステップＳ１２６まで、図７Ｃ参照）：
判別された配信制御情報ＣＭＤがコンテンツの配信一時停止を要求する配信一時停止要求情報ＣＭＤｂであるので、コンテンツ受信端末装置１００（制御部１０１）は、配信一時停止要求手段１１８を機能させて、コンテンツの配信一時停止を実行させる。
【０１６３】
配信一時停止要求手段１１８は、先ず、コンテンツを受信しているか否かを判断する。コンテンツを受信していないと判断した場合（ステップＳ１２２：ＮＯ）は、ステップＳ１００へ戻る。コンテンツを受信していると判断した場合（ステップＳ１２２：ＹＥＳ）は、ステップＳ１２４へ移行する。
【０１６４】
ステップＳ１２４：
配信一時停止要求手段１１８は、外用通信部１０２を介してコンテンツ配信サーバ１０に対して受信中（配信中）のコンテンツの配信一時停止を要求する（配信一時停止要求ステップ）。つまり、配信一時停止要求情報ＣＭＤｂをコンテンツ配信サーバ１０に対して送信する。
【０１６５】
すなわち、コンテンツ受信端末装置１００は、コンテンツ配信サーバ１０に対してＲＴＳＰの「ＰＡＵＳＥ」リクエストを送信する。
【０１６６】
コンテンツ配信サーバ１０による「ＰＡＵＳＥ」への応答が終了した後、コンテンツ配信サーバ１０から配信されていたコンテンツの配信一時停止が実行される。コンテンツの配信一時停止が実行されたときは、ステップＳ１２６へ移行する。
【０１６７】
ステップＳ１２６：
コンテンツ受信端末装置１００（制御部１０１）は、コンテンツリスト生成更新手段１１９を機能させてコンテンツリストＣＬｓｔの更新を実行する（コンテンツリスト更新ステップ）。つまり、例えば図６（Ａ）で「視聴状況」欄が「視聴中」としてあった「視聴端末ＩＤ」欄の「テレビａ」の「視聴状況」欄を「視聴中」から「中断中」へと変更し、図６（Ｂ）の状態とする。
【０１６８】
処理を施した後、適宜ステップＳ１００へ戻る。
【０１６９】
図７Ｄは、本発明の実施の形態に係るコンテンツ受信端末装置で実行される一時停止コンテンツリスト処理のフロー例を示すフローチャートである。
【０１７０】
ステップＳ１３１（以下ステップＳ１３３まで、図７Ｄ参照）：
判別された配信制御情報ＣＭＤが配信を一時停止しているコンテンツのリストである一時停止コンテンツリストＣＬｐｓを要求する一時停止コンテンツリスト要求情報ＣＭＤｅであるので、コンテンツ受信端末装置１００（制御部１０１）は、一時停止コンテンツリスト生成手段１２１を機能させて一時停止コンテンツリストＣＬｐｓを生成する（一時停止コンテンツリスト生成ステップ）。
【０１７１】
一時停止コンテンツリストＣＬｐｓは、「視聴状況」欄に対応する情報として、「中断中」としてあるコンテンツの一覧であり、例えば、コンテンツリストＣＬｓｔから抽出することが可能である。
【０１７２】
ステップＳ１３３：
一時停止コンテンツリスト送信手段１２２は、一時停止コンテンツリスト要求情報ＣＭＤｅを送信してきたコンテンツ再生端末装置２００（コンテンツ再生端末装置２００Ａまたはコンテンツ再生端末装置２００Ｂ）に対して一時停止コンテンツリスト生成手段１２１で生成された一時停止コンテンツリストＣＬｐｓを送信する（一時停止コンテンツリスト送信ステップ）。
【０１７３】
一時停止コンテンツリストＣＬｐｓを送信した後、適宜ステップＳ１００へ戻る。
【０１７４】
図７Ｅは、本発明の実施の形態に係るコンテンツ受信端末装置で実行される配信再開処理のフロー例を示すフローチャートである。
【０１７５】
ステップＳ１４２（以下ステップＳ１４６まで、図７Ｅ参照）：
判別された配信制御情報ＣＭＤが配信を一時停止しているコンテンツの配信再開を要求する配信再開要求情報ＣＭＤｃであるので、コンテンツ受信端末装置１００（制御部１０１）は、配信再開要求手段１２０を機能させて、コンテンツの配信再開を実行させる。
【０１７６】
配信再開要求手段１２０は、先ず、配信再開を要求されたコンテンツは一時停止コンテンツリストＣＬｐｓにあるか否かを判断する。配信再開を要求されたコンテンツが一時停止コンテンツリストＣＬｐｓに無い場合（ステップＳ１４２：ＮＯ）は、ステップＳ１００へ戻る。配信再開を要求されたコンテンツが一時停止コンテンツリストＣＬｐｓにある場合（ステップＳ１４２：ＹＥＳ）は、ステップＳ１４４へ移行する。
【０１７７】
ステップＳ１４４：
配信再開要求手段１２０は、外用通信部１０２を介してコンテンツ配信サーバ１０に対して配信を一時停止しているコンテンツの配信再開を要求する（配信再開要求ステップ）。つまり、配信再開要求情報ＣＭＤｃをコンテンツ配信サーバ１０に対して送信する。
【０１７８】
すなわち、コンテンツ受信端末装置１００は、一時停止コンテンツリストＣＬｐｓに記載されている一時停止中コンテンツの視聴再開位置を指定した情報として、コンテンツ配信サーバ１０に対してＲＴＳＰの「ＲＥＳＴＡＲＴ」リクエストを送信する。
【０１７９】
ステップＳ１４６：
コンテンツ受信端末装置１００（制御部１０１）は、外用通信部１０２を介して配信を再開されたコンテンツをコンテンツ受信手段１１５で受信し、コンテンツ転送手段１１６は、コンテンツ受信手段１１５が受信したコンテンツをコンテンツ再生端末装置２００へ転送する（コンテンツ転送ステップ）。
【０１８０】
つまり、コンテンツ転送手段１１６は、配信再開要求情報ＣＭＤｃの転送先情報「ｓｅｎｄｔｏ＝」で指定されている転送先としてのコンテンツ再生端末装置２００へ、内用通信部１０３を介して配信再開によって受信したコンテンツを転送する。
【０１８１】
配信再開要求情報ＣＭＤｃ（例えば図５（Ｃ）参照）では、転送先情報（ｓｅｎｄｔｏ）が「テレビｂ」としてあることから、転送先としてのコンテンツ再生端末装置２００は、例えば「テレビｂ」（つまり、コンテンツ再生端末装置２００Ｂ）とされる。
【０１８２】
ステップＳ１４８：
コンテンツ受信端末装置１００（制御部１０１）は、コンテンツリスト生成更新手段１１９を機能させてコンテンツリストＣＬｓｔの更新を実行する（コンテンツリスト更新ステップ）。つまり、例えば図６（Ｂ）で「視聴端末ＩＤ」欄の「テレビａ」を配信再開による転送先となった「テレビｂ」とし、また、「視聴状況」欄を「中断中」から「視聴中」へと変更する。
【０１８３】
処理を施した後、適宜ステップＳ１００へ戻る。
【０１８４】
図７Ｆは、本発明の実施の形態に係るコンテンツ受信端末装置で実行される配信停止処理のフロー例を示すフローチャートである。
【０１８５】
ステップＳ１５１（以下ステップＳ１５５まで、図７Ｆ参照）：
判別された配信制御情報ＣＭＤがコンテンツの配信停止を要求する配信停止要求情報ＣＭＤｄであるので、コンテンツ受信端末装置１００（制御部１０１）は、配信停止要求手段１１７を機能させて、コンテンツの配信停止を実行させる。
【０１８６】
配信停止要求手段１１７は、先ず、配信停止を要求されたコンテンツが視聴中か否かを判断する。配信停止を要求されたコンテンツが視聴中で無い場合（ステップＳ１５１：ＮＯ）は、ステップＳ１００へ戻る。配信停止を要求されたコンテンツが配信中（視聴中）である場合（ステップＳ１５１：ＹＥＳ）は、ステップＳ１５３へ移行する。
【０１８７】
ステップＳ１５３：
配信停止要求手段１１７は、外用通信部１０２を介してコンテンツ配信サーバ１０に対して受信中（視聴中）のコンテンツの配信停止を要求する（配信停止要求ステップ）。つまり、配信停止要求情報ＣＭＤｄをコンテンツ配信サーバ１０に対して送信する。
【０１８８】
すなわち、コンテンツ受信端末装置１００は、ＲＴＳＰの「ＴＥＡＲＤＯＷＮ」リクエスト（図５（Ｄ）の配信停止要求情報ＣＭＤｄで示したＳＴＯＰに対応する。）をコンテンツ配信サーバ１０に送信し、コンテンツ配信サーバ１０からのコンテンツの送信を停止させた後、ステップＳ１５５へ移行する。
【０１８９】
ステップＳ１５５：
ステップＳ１４８と同様に、ステップＳ１００へ戻る前に、コンテンツ受信端末装置１００（制御部１０１）は、コンテンツリスト生成更新手段１１９を機能させて、コンテンツリストＣＬｓｔの更新を実行する（コンテンツリスト更新ステップ）。
【０１９０】
この場合は、例えば該当するコンテンツＩＤに対応させて、コンテンツ名、視聴端末ＩＤ、視聴状況、視聴中断位置をブランクにすること、あるいは、視聴状況欄を例えば「視聴停止」などとすることが可能である。
【０１９１】
上述したとおり、本実施の形態に係るコンテンツ受信端末装置１００は、ネットワークＮＷを介してコンテンツ配信サーバ１０から配信されたコンテンツを受信するコンテンツ受信手段１１５と、コンテンツを再生する複数のコンテンツ再生端末装置２００のいずれかへ受信したコンテンツを転送するコンテンツ転送手段１１６とを備えるコンテンツ受信端末装置１００である。
【０１９２】
また、本実施の形態に係るコンテンツ受信端末装置１００は、コンテンツ配信サーバ１０でのコンテンツ配信の状態を制御するための配信制御情報ＣＭＤをコンテンツ再生端末装置２００から受け付けて判別する配信制御情報受付手段１１１と、判別された配信制御情報ＣＭＤがコンテンツの配信一時停止を要求する配信一時停止要求情報ＣＭＤｂである場合はコンテンツ配信サーバ１０に対してコンテンツの配信一時停止を要求する配信一時停止要求手段１１８と、判別された配信制御情報ＣＭＤがコンテンツの配信再開を要求する配信再開要求情報ＣＭＤｃである場合はコンテンツ配信サーバ１０に対してコンテンツの配信再開を要求する配信再開要求手段１２０とを備え、コンテンツ転送手段１１６は、配信再開要求情報ＣＭＤｃで指定されたコンテンツ再生端末装置２００へ配信再開によって受信したコンテンツを転送する構成としてある。
【０１９３】
したがって、本実施の形態に係るコンテンツ受信端末装置１００によれば、視聴を一時停止したコンテンツ再生端末装置２００（例えばテレビａ：コンテンツ再生端末装置２００Ａ）とは異なる別のコンテンツ再生端末装置２００（例えばテレビｂ：コンテンツ再生端末装置２００Ｂ）で、視聴を一時停止したコンテンツの視聴を容易かつ簡単に再開することが可能となる。
【０１９４】
また、本実施の形態に係るコンテンツ受信端末装置１００は、判別された配信制御情報ＣＭＤが配信を一時停止しているコンテンツのリストである一時停止コンテンツリストＣＬｐｓを要求する一時停止コンテンツリスト要求情報ＣＭＤｅである場合は一時停止コンテンツリストＣＬｐｓを生成する一時停止コンテンツリスト生成手段１２１と、一時停止コンテンツリスト要求情報ＣＭＤｅを送信してきたコンテンツ再生端末装置２００へ生成した一時停止コンテンツリストＣＬｐｓを送信する一時停止コンテンツリスト送信手段１２２とを備える。
【０１９５】
また、本実施の形態に係るコンテンツ受信端末装置１００は、判別された配信制御情報ＣＭＤがコンテンツの配信開始を要求する配信開始要求情報ＣＭＤａである場合はコンテンツ配信サーバ１０に対する認証状況を判断し、認証がされていないと判断したときはコンテンツ配信サーバ１０に対する認証処理を行なう認証処理手段１１２を備える。
【０１９６】
また、本実施の形態に係るコンテンツ受信端末装置１００は、判別された配信制御情報ＣＭＤがコンテンツの配信開始を要求する配信開始要求情報ＣＭＤａである場合には、配信開始を要求しているコンテンツについての決済状況をコンテンツ配信サーバ１０に対して問い合わせ、決済がされていないときは配信開始を要求しているコンテンツについての決済処理をコンテンツ配信サーバ１０（認証／決済サーバ１１）に対して行なう決済処理手段１１３を備える。
【０１９７】
上述したとおり、本実施の形態に係るコンテンツ受信端末装置１００のコンテンツ受信方法は、ネットワークＮＷを介してコンテンツ配信サーバ１０から配信されたコンテンツを受信するコンテンツ受信ステップと、コンテンツを再生する複数のコンテンツ再生端末装置２００のいずれかへ受信したコンテンツを転送するコンテンツ転送ステップとを備えるコンテンツ受信端末装置１００のコンテンツ受信方法である。
【０１９８】
また、本実施の形態に係るコンテンツ受信端末装置１００のコンテンツ受信方法は、コンテンツ配信サーバ１０でのコンテンツ配信の状態を制御するための配信制御情報ＣＭＤをコンテンツ再生端末装置２００から受け付けて判別する配信制御情報受付ステップと、判別された配信制御情報ＣＭＤがコンテンツの配信一時停止を要求する配信一時停止要求情報ＣＭＤｂである場合はコンテンツ配信サーバ１０に対してコンテンツの配信一時停止を要求する配信一時停止要求ステップと、判別された配信制御情報ＣＭＤがコンテンツの配信再開を要求する配信再開要求情報ＣＭＤｃである場合はコンテンツ配信サーバ１０に対してコンテンツの配信再開を要求する配信再開要求ステップとを備え、コンテンツ転送ステップは、配信再開要求情報ＣＭＤｃで指定されたコンテンツ再生端末装置２００へ配信再開によって受信したコンテンツを転送する。
【０１９９】
また、本実施の形態に係るコンテンツ受信端末装置１００のコンテンツ受信方法は、判別された配信制御情報ＣＭＤが配信を一時停止しているコンテンツのリストである一時停止コンテンツリストＣＬｐｓを要求する一時停止コンテンツリスト要求情報ＣＭＤｅである場合は一時停止コンテンツリストＣＬｐｓを生成する一時停止コンテンツリスト生成ステップと、  一時停止コンテンツリスト要求情報ＣＭＤｅを送信してきたコンテンツ再生端末装置２００へ生成した一時停止コンテンツリストＣＬｐｓを送信する一時停止コンテンツリスト送信ステップとを備える。
【０２００】
また、本実施の形態に係るコンテンツ受信端末装置１００のコンテンツ受信方法は、判別された配信制御情報ＣＭＤがコンテンツの配信開始を要求する配信開始要求情報ＣＭＤａである場合はコンテンツ配信サーバ１０に対する認証状況を判断し、認証がされていないと判断したときはコンテンツ配信サーバ１０に対する認証処理を行なう認証処理ステップを備える。
【０２０１】
本実施の形態に係るコンテンツ受信端末装置１００のコンテンツ受信方法は、判別された配信制御情報ＣＭＤがコンテンツの配信開始を要求する配信開始要求情報ＣＭＤａである場合には、配信開始を要求しているコンテンツについての決済状況をコンテンツ配信サーバ１０に対して問い合わせ、決済がされていないときは配信開始を要求しているコンテンツについての決済処理をコンテンツ配信サーバ１０（認証／決済サーバ１１）に対して行なう決済処理ステップを備える。
【０２０２】
本実施の形態に係るコンテンツ受信端末装置１００のコンテンツ受信方法は、本実施の形態に係るコンテンツ受信端末装置１００の作用と同様な作用を奏することが可能である。
【０２０３】
上述したとおり、本実施の形態に係るコンテンツ受信端末装置１００のコンテンツ受信プログラムは、コンピュータに、ネットワークＮＷを介してコンテンツ配信サーバ１０から配信されたコンテンツを受信するコンテンツ受信ステップと、コンテンツを再生する複数のコンテンツ再生端末装置２００のいずれかへ受信したコンテンツを転送するコンテンツ転送ステップとを実行させるコンテンツ受信端末装置１００のコンテンツ受信プログラムである。
【０２０４】
また、本実施の形態に係るコンテンツ受信端末装置１００のコンテンツ受信プログラムは、コンピュータに、コンテンツ配信サーバ１０でのコンテンツ配信の状態を制御するための配信制御情報ＣＭＤをコンテンツ再生端末装置２００から受け付けて判別する配信制御情報受付ステップを実行させ、コンピュータに、判別された配信制御情報ＣＭＤがコンテンツの配信一時停止を要求する配信一時停止要求情報ＣＭＤｂである場合はコンテンツ配信サーバ１０に対してコンテンツの配信一時停止を要求する配信一時停止要求ステップを実行させ、コンピュータに、判別された配信制御情報ＣＭＤがコンテンツの配信再開を要求する配信再開要求情報ＣＭＤｃである場合はコンテンツ配信サーバ１０に対してコンテンツの配信再開を要求する配信再開要求ステップを実行させ、コンピュータに、コンテンツ転送ステップで、配信再開要求情報ＣＭＤｃで指定されたコンテンツ再生端末装置２００への配信再開によって受信したコンテンツの転送を実行させる。
【０２０５】
また、本実施の形態に係るコンテンツ受信端末装置１００のコンテンツ受信プログラムは、コンピュータに、判別された配信制御情報ＣＭＤが配信を一時停止しているコンテンツのリストである一時停止コンテンツリストＣＬｐｓを要求する一時停止コンテンツリスト要求情報ＣＭＤｅである場合は一時停止コンテンツリストＣＬｐｓを生成する一時停止コンテンツリスト生成ステップを実行させ、コンピュータに、一時停止コンテンツリスト要求情報ＣＭＤｅを送信してきたコンテンツ再生端末装置２００へ生成した一時停止コンテンツリストＣＬｐｓを送信する一時停止コンテンツリスト送信ステップを実行させる。
【０２０６】
また、本実施の形態に係るコンテンツ受信端末装置１００のコンテンツ受信プログラムは、コンピュータに、判別された配信制御情報ＣＭＤがコンテンツの配信開始を要求する配信開始要求情報ＣＭＤａである場合はコンテンツ配信サーバ１０に対する認証状況を判断し、認証がされていないと判断したときはコンテンツ配信サーバ１０に対する認証処理を行なう認証処理ステップを実行させる。
【０２０７】
また、本実施の形態に係るコンテンツ受信端末装置１００のコンテンツ受信プログラムは、コンピュータに、判別された配信制御情報ＣＭＤがコンテンツの配信開始を要求する配信開始要求情報ＣＭＤａである場合には、配信開始を要求しているコンテンツについての決済状況をコンテンツ配信サーバ１０に対して問い合わせ、決済がされていないときは配信開始を要求しているコンテンツについての決済処理をコンテンツ配信サーバ１０（認証／決済サーバ１１）に対して行なう決済処理ステップを実行させる。
【０２０８】
本実施の形態に係るコンテンツ受信端末装置１００のコンテンツ受信方法は、本実施の形態に係るコンテンツ受信端末装置１００の作用と同様な作用を奏することが可能である。
【０２０９】
図８は、本発明の実施の形態に係るコンテンツ再生端末装置の機能構成の概略を示す概略機能ブロック図である。
【０２１０】
制御部２０１は、上述したとおりインストールされたプログラムに基づく各種の機能（機能実現手段）を構成することにより各種の処理を行なうことができる。
【０２１１】
つまり、コンテンツ再生端末装置２００は、機能実現手段として、例えば、視聴状態指定情報入力受付手段２２１、コンテンツリスト取得手段２２２、コンテンツリスト表示手段２２３、再生コンテンツ受信手段２２４、コンテンツ再生手段２２５、配信停止要求情報送信手段２２６、配信開始要求情報送信手段２２７、配信一時停止要求情報送信手段２２８、配信再開要求情報送信手段２２９、一時停止コンテンツリスト要求手段２３０、一時停止コンテンツリスト表示手段２３１、再生コンテンツ選択指定手段２３２などを構成してそれぞれに対応する各種の処理を行なわせる。
【０２１２】
視聴状態指定情報入力受付手段２２１は、視聴状態指定情報入力部２０５を介してリモートコントローラ２１０から入力されたコンテンツの視聴の状態を指定するための視聴状態指定情報ＲＣＭＤ（図９参照）を入力として受け付け、視聴状態指定情報ＲＣＭＤの内容を判別する。つまり、視聴状態指定情報入力受付手段２２１は、視聴状態指定情報入力部２０５を介してリモートコントローラ２１０から送信された視聴状態指定情報ＲＣＭＤを受け付ける。
【０２１３】
なお、視聴状態指定情報入力受付手段２２１はプログラムの適用によって機能すること、また、視聴状態指定情報入力部２０５はリモートコントローラ２１０以外の入力形態の場合には変更が可能であることを考慮して、視聴状態指定情報入力受付手段２２１および視聴状態指定情報入力部２０５はそれぞれ別の構成として説明するが、一体として扱うことも可能である。
【０２１４】
視聴状態指定情報入力受付手段２２１（視聴状態指定情報入力部２０５）がリモートコントローラ２１０から受け付けて判別する視聴状態指定情報ＲＣＭＤとしては、例えば、コンテンツの視聴開始（配信開始要求）を指定する視聴開始指定情報ＲＣＭＤａ（図５に示した配信開始要求情報ＣＭＤａをコンテンツ受信端末装置１００へ送信するための情報。図９参照）、コンテンツの視聴一時停止（配信一時停止要求）を指定する視聴一時停止指定情報ＲＣＭＤｂ（図５に示した配信一時停止要求情報ＣＭＤｂをコンテンツ受信端末装置１００へ送信するための情報。図９参照）、コンテンツの視聴再開（配信再開要求）を指定する視聴再開指定情報ＲＣＭＤｃ（図５に示した配信再開要求情報ＣＭＤｃをコンテンツ受信端末装置１００へ送信するための情報。図５に示した一時停止コンテンツリスト要求情報ＣＭＤｅをコンテンツ受信端末装置１００へ送信するための情報。図９参照）、コンテンツの視聴停止（配信停止要求）を指定する視聴停止指定情報ＲＣＭＤｄ（図５に示した配信停止要求情報ＣＭＤｄをコンテンツ受信端末装置１００へ送信するための情報。図９参照）が規定してある。
【０２１５】
また、コンテンツ再生端末装置２００の再生機能を実現する上で必要となるその他の視聴状態指定情報ＲＣＭＤとして、コンテンツリストＣＬｓｔの表示を要求するコンテンツリスト表示要求情報ＲＣＭＤｆ（図９参照）、視聴（視聴開始、視聴再開）するコンテンツ（再生コンテンツ）を選択して指定する再生コンテンツ選択指定情報ＲＣＭＤｇ（図９参照）が規定してある。
【０２１６】
上述したとおり、視聴状態指定情報ＲＣＭＤは、主に配信制御情報ＣＭＤを生成して送信するための情報である。したがって、視聴状態指定情報ＲＣＭＤと配信制御情報ＣＭＤとは、基本的に相互に対応する情報として扱うことが可能であり、基本的な機能は共通させてある。
【０２１７】
また、コンテンツ再生端末装置２００とリモートコントローラ２１０とが１対１で情報の送信／受信を固定してある場合には、視聴状態指定情報ＲＣＭＤでは、機器を識別するＩＤ情報を省略するなど配信制御情報ＣＭＤに比較して構成を簡略化することができる場合もある。
【０２１８】
コンテンツ再生端末装置２００は、視聴状態を指定する情報（コンテンツ再生端末装置２００に対してユーザが指定、入力した視聴状態を識別する情報）として視聴状態指定情報ＲＣＭＤをリモートコントローラ２１０から受信する。
【０２１９】
上述したとおり、視聴状態指定情報ＲＣＭＤとしての視聴開始指定情報ＲＣＭＤａ、視聴一時停止指定情報ＲＣＭＤｂ、視聴再開指定情報ＲＣＭＤｃ、視聴停止指定情報ＲＣＭＤｄは、それぞれ対応する配信開始要求情報ＣＭＤａ、配信一時停止要求情報ＣＭＤｂ、配信再開要求情報ＣＭＤｃ（および一時停止コンテンツリスト要求情報ＣＭＤｅ）、配信停止要求情報ＣＭＤｄへ配信制御情報ＣＭＤとして再構成され、コンテンツ配信サーバ１０でのコンテンツ配信の状態を制御するための配信制御情報ＣＭＤとしてコンテンツ再生端末装置２００からコンテンツ受信端末装置１００へ送信される。
【０２２０】
なお、上述したとおり、コンテンツ受信端末装置１００は、コンテンツ再生端末装置２００から受信した配信制御情報ＣＭＤの内容に応じてコンテンツ配信サーバ１０に対する配信状態の制御を要求する。また、配信制御情報ＣＭＤと視聴状態指定情報ＲＣＭＤとの相互関係については、図９でさらに説明する。
【０２２１】
コンテンツリスト取得手段２２２は、視聴状態指定情報入力受付手段２２１で判別された視聴状態指定情報ＲＣＭＤが視聴可能な「コンテンツリスト」（配信サービスを行なっているコンテンツのリスト。不図示）の表示を要求するコンテンツリスト表示要求情報ＲＣＭＤｆである場合に、視聴可能な「コンテンツリスト取得要求」をコンテンツ配信サーバ１０に対して送信する。
【０２２２】
例えば、コンテンツ配信サーバ１０を適用してコンテンツの提供を行なうコンテンツプロバイダのポータルサイトにアクセスし、視聴可能な「コンテンツリスト」の送信を要求する構成としてある。具体的には一般に実施されている種々の形態をとることが可能であるので詳細な説明は省略する。
【０２２３】
つまり、コンテンツリスト取得手段２２２は、コンテンツリスト表示要求情報ＲＣＭＤｆに基づいてコンテンツ配信サーバ１０から視聴可能な「コンテンツリスト」を取得する。
【０２２４】
コンテンツリスト表示手段２２３は、コンテンツリスト取得手段２２２がコンテンツ受信端末装置１００から取得した視聴可能な「コンテンツリスト」を表示部２０３で表示する。表示部２０３をコンテンツリスト表示手段２２３として扱うことが可能である。
【０２２５】
例えば、コンテンツリスト表示手段２２３によってブラウザを起動し、視聴可能な「コンテンツリスト」を表示するなど、種々の形態をとることが可能であるので詳細な説明は省略する。
【０２２６】
再生コンテンツ受信手段２２４は、再生通信部２０２を介してコンテンツ受信端末装置１００が受信して転送したコンテンツを受信する。なお、再生通信部２０２を再生コンテンツ受信手段２２４として扱うことも可能である。
【０２２７】
コンテンツ再生手段２２５は、再生コンテンツ受信手段２２４が受信したコンテンツに対してデコーダ部２０８で復号処理を施して再生する。再生は、表示部２０３および音声出力部２０４を適用して実行されることから、表示部２０３および音声出力部２０４をコンテンツ再生手段２２５として扱うことも可能である。
【０２２８】
配信停止要求情報送信手段２２６は、視聴状態指定情報入力受付手段２２１で判別された視聴状態指定情報ＲＣＭＤがコンテンツの配信停止を指定する視聴停止指定情報ＲＣＭＤｄである場合に、再生通信部２０２を介してコンテンツ受信端末装置１００へコンテンツの配信停止を要求する配信停止要求情報ＣＭＤｄを送信する。
【０２２９】
配信開始要求情報送信手段２２７は、視聴状態指定情報入力受付手段２２１で判別された視聴状態指定情報ＲＣＭＤがコンテンツの視聴開始を指定する視聴開始指定情報ＲＣＭＤａである場合に、コンテンツの配信開始をコンテンツ配信サーバ１０に対して要求する配信開始要求情報ＣＭＤａを配信制御情報ＣＭＤとして再生通信部２０２を介してコンテンツ受信端末装置１００へ送信する。
【０２３０】
配信一時停止要求情報送信手段２２８は、視聴状態指定情報入力受付手段２２１で判別された視聴状態指定情報ＲＣＭＤがコンテンツの視聴一時停止を指定する視聴一時停止指定情報ＲＣＭＤｂである場合に、コンテンツの配信一時停止をコンテンツ配信サーバ１０に対して要求する配信一時停止要求情報ＣＭＤｂを配信制御情報ＣＭＤとして再生通信部２０２を介してコンテンツ受信端末装置１００へ送信する。
【０２３１】
配信再開要求情報送信手段２２９は、視聴状態指定情報入力受付手段２２１で判別された視聴状態指定情報ＲＣＭＤがコンテンツの視聴再開を指定する視聴再開指定情報ＲＣＭＤｃである場合に、コンテンツの配信再開をコンテンツ配信サーバ１０に対して要求する配信再開要求情報ＣＭＤｃを配信制御情報ＣＭＤとして再生通信部２０２を介してコンテンツ受信端末装置１００へ送信する。
【０２３２】
上述したとおり、本実施の形態に係るコンテンツ再生端末装置２００は、視聴状態指定情報入力受付手段２２１、再生コンテンツ受信手段２２４、コンテンツ再生手段２２５、配信一時停止要求情報送信手段２２８、配信再開要求情報送信手段２２９を備え、配信再開要求情報送信手段２２９は、配信再開によってコンテンツ受信端末装置１００が受信するコンテンツの転送先を配信再開要求情報ＣＭＤｃで指定する構成（図５（Ｃ）参照）としてある。
【０２３３】
したがって、この構成により、コンテンツ再生端末装置２００は、視聴が一時停止されたコンテンツの視聴再開を指定する視聴再開指定情報ＲＣＭＤｃ（視聴状態指定情報ＲＣＭＤ）に対応させた配信再開要求情報ＣＭＤｃ（配信制御情報ＣＭＤ）をコンテンツ受信端末装置１００へ送信し、コンテンツ配信サーバ１０からのコンテンツの配信再開を制御することが可能となるので、視聴が一時停止されたコンテンツの視聴再開（継続視聴）を配信再開要求情報ＣＭＤｃで指定された転送先で容易かつ正確に行なうことができる。
【０２３４】
一時停止コンテンツリスト要求手段２３０は、視聴状態指定情報入力受付手段２２１で判別された視聴状態指定情報ＲＣＭＤが視聴再開指定情報ＲＣＭＤｃである場合は配信を一時停止しているコンテンツのリストである一時停止コンテンツリストＣＬｐｓを要求する一時停止コンテンツリスト要求情報ＣＭＤｅを配信制御情報ＣＭＤとしてコンテンツ受信端末装置１００へ送信して一時停止コンテンツリストＣＬｐｓを取得する。
【０２３５】
一時停止コンテンツリスト表示手段２３１は、一時停止コンテンツリスト要求手段２３０がコンテンツ受信端末装置１００から取得した一時停止コンテンツリストＣＬｐｓを表示部２０３で表示する。表示部２０３を一時停止コンテンツリスト表示手段２３１として扱うことが可能である。
【０２３６】
再生コンテンツ選択指定手段２３２は、配信開始の要求に対応して表示部２０３に表示された視聴可能な「コンテンツリスト」から視聴再開の対象としてのコンテンツを選択指定した再生コンテンツ選択指定情報ＲＣＭＤｇを視聴状態指定情報ＲＣＭＤとして受け付ける。
【０２３７】
また、再生コンテンツ選択指定手段２３２は、配信再開を要求したときに表示された一時停止コンテンツリストＣＬｓｐから視聴再開の対象としてのコンテンツを選択指定した再生コンテンツ選択指定情報ＲＣＭＤｇを視聴状態指定情報ＲＣＭＤとして受け付ける。
【０２３８】
例えば、リモートコントローラ２１０が備える十字キーにより一時停止コンテンツリストＣＬｐｓから視聴再開の対象としてのコンテンツを選択指定させ、決定キーにより再生コンテンツ選択指定情報ＲＣＭＤｇとして確定し、視聴状態指定情報入力受付手段２２１を介して再生コンテンツ選択指定手段２３２へ入力させることが可能である。
【０２３９】
つまり、上述したとおり、再生コンテンツ選択指定手段２３２は、配信開始を要求するとき表示部２０３に表示された視聴可能な「コンテンツリスト」からユーザが配信の開始を要求する対象として選定するコンテンツを指定する場合、配信再開を要求するとき表示部２０３に表示された一時停止コンテンツリストＣＬｐｓからユーザが視聴再開の対象として選定するコンテンツを指定する場合などで、配信対象としてのコンテンツを明確にする情報としての再生コンテンツ選択指定情報ＲＣＭＤｇを受け付けて対応する処理を施す。
【０２４０】
本実施の形態に係るコンテンツ再生端末装置２００は、一時停止コンテンツリスト要求手段２３０、一時停止コンテンツリスト表示手段２３１、再生コンテンツ選択指定手段２３２を備え、再生コンテンツ選択指定手段２３２は、再生コンテンツ選択指定情報ＲＣＭＤｇを受け付けたとき選択指定されたコンテンツの配信再開を配信再開要求情報送信手段２２９に要求させる構成としてある。
【０２４１】
したがって、この構成により、視聴再開の対象としてのコンテンツを容易かつ正確に選択指定してコンテンツ受信端末装置１００へ送信できることから、コンテンツ配信サーバ１０に選択指定したコンテンツを配信再開させることが可能となるので、配信が一時停止されたコンテンツを容易かつ正確に視聴再開することができる。
【０２４２】
したがって、視聴を一時停止したコンテンツ再生端末装置（例えばテレビａ：コンテンツ再生端末装置２００Ａ）とは異なる別のコンテンツ再生端末装置（例えばテレビｂ：コンテンツ再生端末装置２００Ｂ）で、視聴を一時停止したコンテンツの視聴を再開することが可能となる。
【０２４３】
一時停止コンテンツリスト要求手段２３０は、取得した一時停止コンテンツリストＣＬｐｓが「一つのコンテンツ」のみを把握（掲載）しているときは、取得した一時停止コンテンツリストＣＬｐｓに示された一つのコンテンツに対する配信再開を配信再開要求情報送信手段２２９に要求させる構成としておくことが好ましい（図１０Ｄ参照）。
【０２４４】
図９は、本発明の実施の形態に係るコンテンツ再生端末装置に対して視聴状態を指定するリモートコントローラから入力される視聴状態指定情報と配信制御情報との対応関係を概念的に示す説明図表である。
【０２４５】
例えば、コンテンツの視聴の状態を指定するための視聴状態指定情報ＲＣＭＤ（図５に示す配信制御情報ＣＭＤに対応する視聴状態を指定する情報）がリモートコントローラ２１０から視聴状態指定情報入力部２０５に対して送信された場合、視聴状態指定情報入力受付手段２２１は、視聴状態指定情報入力部２０５を介して入力された視聴状態指定情報ＲＣＭＤを受け付けて、視聴状態指定情報ＲＣＭＤの内容を判別する。
【０２４６】
例えば、リモートコントローラ２１０の操作でオンとされたボタンが「開始」である場合は、視聴状態指定情報ＲＣＭＤは「視聴開始指定情報ＲＣＭＤａ」であり、視聴状態指定情報入力受付手段２２１によって視聴開始指定情報ＲＣＭＤａと判別される。
【０２４７】
視聴開始指定情報ＲＣＭＤａと判別された場合は、配信開始要求情報送信手段２２７によって上述したとおり配信開始要求情報ＣＭＤａが再生通信部２０２を介してコンテンツ受信端末装置１００へ送信される。
【０２４８】
例えば、リモートコントローラ２１０の操作でオンとされたボタンが「一時停止」である場合は、視聴状態指定情報ＲＣＭＤは「視聴一時停止指定情報ＲＣＭＤｂ」であり、視聴状態指定情報入力受付手段２２１によって視聴一時停止指定情報ＲＣＭＤｂと判別される。
【０２４９】
視聴一時停止指定情報ＲＣＭＤｂと判別された場合は、配信一時停止要求情報送信手段２２８によって上述したとおり配信一時停止要求情報ＣＭＤｂが再生通信部２０２を介してコンテンツ受信端末装置１００へ送信される。
【０２５０】
例えば、リモートコントローラ２１０の操作でオンとされたボタンが「再開」である場合は、視聴状態指定情報ＲＣＭＤは「視聴再開指定情報ＲＣＭＤｃ」であり、視聴状態指定情報入力受付手段２２１によって視聴再開指定情報ＲＣＭＤｃと判別される。
【０２５１】
視聴再開指定情報ＲＣＭＤｃと判別された場合は、配信再開要求情報送信手段２２９によって上述したとおり配信再開要求情報ＣＭＤｃが再生通信部２０２を介してコンテンツ受信端末装置１００へ送信される。
【０２５２】
また、視聴再開指定情報ＲＣＭＤｃと判別された場合は、一時停止コンテンツリスト要求手段２３０によって上述したとおり一時停止コンテンツリスト要求情報ＣＭＤｅが再生通信部２０２を介してコンテンツ受信端末装置１００へ送信される。
【０２５３】
例えば、リモートコントローラ２１０の操作でオンとされたボタンが「停止」である場合は、視聴状態指定情報ＲＣＭＤは「視聴停止指定情報ＲＣＭＤｄ」であり、視聴状態指定情報入力受付手段２２１によって視聴停止指定情報ＲＣＭＤｄと判別される。
【０２５４】
視聴停止指定情報ＲＣＭＤｄと判別された場合は、配信停止要求情報送信手段２２６によって上述したとおり配信停止要求情報ＣＭＤｄが再生通信部２０２を介してコンテンツ受信端末装置１００へ送信される。
【０２５５】
例えば、リモートコントローラ２１０の操作でオンとされたボタンが「リスト」である場合は、視聴状態指定情報ＲＣＭＤは「コンテンツリスト表示要求情報ＲＣＭＤｆ」であり、視聴状態指定情報入力受付手段２２１によってコンテンツリスト表示要求情報ＲＣＭＤｆと判別される。
【０２５６】
コンテンツリスト表示要求情報ＲＣＭＤｆと判別された場合は、コンテンツリスト取得手段２２２によって上述したとおりコンテンツ配信サーバ１０から視聴可能な「コンテンツリスト」が取得される。
【０２５７】
例えば、コンテンツリスト表示手段２２３によって表示された視聴可能な「コンテンツリスト」、「一時停止コンテンツリストＣＬｐｓ」に対してリモートコントローラ２１０の操作で十字キーおよび決定キーにより配信対象としてのコンテンツが選択、指定された場合は、視聴状態指定情報ＲＣＭＤは「再生コンテンツ選択指定情報ＲＣＭＤｇ」であり、再生コンテンツ選択指定手段２３２によって上述した処理が施される。
【０２５８】
つまり、視聴状態指定情報ＲＣＭＤに対応させたボタンキー／十字キー／決定キーが予めリモートコントローラ２１０に設けてある。
【０２５９】
図１０Ａないし図１０Ｅに基づいて、本発明の実施の形態に係るコンテンツ再生端末装置で実行される各処理ステップのフロー例を説明する。
【０２６０】
なお、図１０Ａないし図１０Ｅに示す各処理ステップは、予めＲＯＭ２０６にインストールされたプログラムを制御部２０１に適用し、コンテンツ再生端末装置２００（制御部２０１）をコンピュータとして機能させて実行させることが可能である。
【０２６１】
つまり、図１０Ａないし図１０Ｅに基づいて、コンテンツ再生端末装置１００のコンテンツ再生方法およびコンテンツ再生プログラムについて説明する。
【０２６２】
図１０Ａは、本発明の実施の形態に係るコンテンツ再生端末装置で実行される視聴状態指定情報の受付／判別処理のフロー例を示すフローチャートである。
【０２６３】
ステップＳ２００（以下ステップＳ２４０まで、図１０Ａ参照）：
視聴状態指定情報入力受付手段２２１は、リモートコントローラ２１０から入力された視聴状態指定情報ＲＣＭＤの受付／判別を行なう（視聴状態指定情報入力受付ステップ）。
【０２６４】
視聴状態指定情報入力受付手段２２１は、視聴状態指定情報ＲＣＭＤを受け付けた（ステップＳ２００）後、ステップＳ２１０（コンテンツリスト表示要求情報ＲＣＭＤｆの判別）、ステップＳ２２０（視聴一時停止指定情報ＲＣＭＤｂの判別）、ステップＳ２３０（視聴再開指定情報ＲＣＭＤｃの判別）、ステップＳ２４０（視聴停止指定情報ＲＣＭＤｄの判別）の処理を行なう。
【０２６５】
ステップＳ２１０：
視聴状態指定情報入力受付手段２２１は、受け付けた視聴状態指定情報ＲＣＭＤがコンテンツリスト表示要求情報ＲＣＭＤｆか否かを判別する（視聴状態指定情報入力受付ステップ）。
【０２６６】
視聴状態指定情報ＲＣＭＤがコンテンツリスト表示要求情報ＲＣＭＤｆで無い場合（Ｓ２１０：ＮＯ）は、ステップＳ２２０へ移行する。視聴状態指定情報ＲＣＭＤがコンテンツリスト表示要求情報ＲＣＭＤｆである場合（Ｓ２１０：ＹＥＳ）は、ステップＳ２１２（図１０Ｂ参照）へ移行する。
【０２６７】
ステップＳ２２０：
視聴状態指定情報入力受付手段２２１は、受け付けた視聴状態指定情報ＲＣＭＤが視聴一時停止指定情報ＲＣＭＤｂか否かを判別する（視聴状態指定情報入力受付ステップ）。
【０２６８】
視聴状態指定情報ＲＣＭＤが視聴一時停止指定情報ＲＣＭＤｂで無い場合（Ｓ２２０：ＮＯ）は、ステップＳ２３０へ移行する。視聴状態指定情報ＲＣＭＤが視聴一時停止指定情報ＲＣＭＤｂである場合（Ｓ２２０：ＹＥＳ）は、ステップＳ２２２（図１０Ｃ参照）へ移行する。
【０２６９】
ステップＳ２３０：
視聴状態指定情報入力受付手段２２１は、受け付けた視聴状態指定情報ＲＣＭＤが視聴再開指定情報ＲＣＭＤｃか否かを判別する（視聴状態指定情報入力受付ステップ）。
【０２７０】
視聴状態指定情報ＲＣＭＤが視聴再開指定情報ＲＣＭＤｃで無い場合（Ｓ２３０：ＮＯ）は、ステップＳ２４０へ移行する。視聴状態指定情報ＲＣＭＤが視聴再開指定情報ＲＣＭＤｃである場合（Ｓ２３０：ＹＥＳ）は、ステップＳ２３１（図１０Ｄ参照）へ移行する。
【０２７１】
ステップＳ２４０：
視聴状態指定情報入力受付手段２２１は、受け付けた視聴状態指定情報ＲＣＭＤが
視聴停止指定情報ＲＣＭＤｄか否かを判別する（視聴状態指定情報入力受付ステップ）。
【０２７２】
視聴状態指定情報ＲＣＭＤが視聴停止指定情報ＲＣＭＤｄで無い場合（Ｓ２４０：ＮＯ）は、ステップＳ２４２へ移行する。視聴状態指定情報ＲＣＭＤが視聴停止指定情報ＲＣＭＤｄである場合（Ｓ２４０：ＹＥＳ）は、ステップＳ２４２（図１０Ｅ参照）へ移行する。
【０２７３】
図１０Ｂは、本発明の実施の形態に係るコンテンツ再生端末装置で実行される配信開始要求処理のフロー例を示すフローチャートである。
【０２７４】
ステップＳ２１２（以下ステップＳ２１８まで、図１０Ｂ参照）：
判別された視聴状態指定情報ＲＣＭＤがコンテンツリスト表示要求情報ＲＣＭＤｆであるので、コンテンツ再生端末装置２００（制御部２０１）は、コンテンツリスト取得手段２２２を機能させ、再生通信部２０２を介してコンテンツ配信サーバ１０に対してコンテンツリスト表示要求情報ＲＣＭＤｆ（視聴可能な「コンテンツリスト取得要求」）を送信する（コンテンツリスト取得要求ステップ）。
【０２７５】
コンテンツ配信サーバ１０は、コンテンツリスト表示要求情報ＲＣＭＤｆに対して応答し配信可能なコンテンツリストを送信する。つまり、コンテンツリスト取得手段２２２は、視聴可能な「コンテンツリスト取得要求」に対する応答として視聴可能な「コンテンツリスト」（配信可能なコンテンツリスト）をコンテンツ配信サーバ１０から取得する（コンテンツリスト取得要求ステップ）。
【０２７６】
視聴可能な「コンテンツリスト」の取得は、上述したとおり、例えばコンテンツプロバイダのポータルサイトへのアクセスによって、取得することが可能である。
【０２７７】
ステップＳ２１４：
コンテンツリスト表示手段２２３は、コンテンツリスト取得手段２２２がコンテンツ配信サーバ１０から取得した視聴可能な「コンテンツリスト」を表示部２０３で表示する（コンテンツリスト表示ステップ）。
【０２７８】
視聴可能な「コンテンツリスト」の表示は、上述したとおり、コンテンツリスト表示手段２２３によって例えばブラウザを起動することにより実行させることが可能である。
【０２７９】
ステップＳ２１５：
再生コンテンツ選択指定手段２３２は、表示部２０３で表示された視聴可能な「コンテンツリスト」の中から視聴を開始したいコンテンツとしてユーザが選択して指定したコンテンツを特定する再生コンテンツ選択指定情報ＲＣＭＤｇを視聴状態指定情報ＲＣＭＤとして受け付ける（再生コンテンツ選択指定ステップ）。
【０２８０】
例えば、リモートコントローラ２１０に十字キーと決定キーが設けてある場合は、十字キーで視聴可能な「コンテンツリスト」をスクロールさせて、選択するコンテンツを指定し、決定キーをオンとすることにより再生コンテンツ選択指定情報ＲＣＭＤｇを確定する。
【０２８１】
つまり、再生コンテンツ選択指定手段２３２は、視聴コンテンツの選択がなされたか否かを判断する。したがって、再生コンテンツ選択指定情報ＲＣＭＤｇが入力された場合は、視聴コンテンツの選択指定がされていることとなるので（ステップＳ２１５：ＹＥＳ）、ステップＳ２１６へ移行する。再生コンテンツ選択指定情報ＲＣＭＤｇが入力されていない場合は、視聴コンテンツの選択指定がされていないこととなるので（ステップＳ２１５：ＮＯ）、ステップＳ２００へ戻る。
【０２８２】
ステップＳ２１６：
再生コンテンツ選択指定情報ＲＣＭＤｇは、視聴状態指定情報入力受付手段２２１を介して入力されることから、視聴状態指定情報入力受付手段２２１で判別される。ステップＳ２１０で判別されたコンテンツリスト表示要求情報ＲＣＭＤｆに対する処理であることから、視聴状態指定情報入力受付手段２２１で判別された後、配信開始要求情報送信手段２２７での処理を施す。
【０２８３】
したがって、配信開始要求情報送信手段２２７での処理に移行させることによって、視聴状態指定情報ＲＣＭＤとしての再生コンテンツ選択指定情報ＲＣＭＤｇを、コンテンツの選択指定に加えて、コンテンツの視聴開始を指定する視聴開始指定情報ＲＣＭＤａであるものとして扱うことが可能である。
【０２８４】
つまり、配信開始要求情報送信手段２２７は、再生コンテンツ選択指定情報ＲＣＭＤｇの入力に伴い、選択指定されたコンテンツに対する配信開始要求情報ＣＭＤａをコンテンツ受信端末装置１００に対して送信する（配信開始要求情報送信ステップ）。
【０２８５】
例えば、ユーザによって再生コンテンツ選択指定情報ＲＣＭＤｇが確定されたとき、視聴状態指定情報入力受付手段２２１の判別によって視聴開始指定情報ＲＣＭＤａの入力として扱い配信開始要求情報ＣＭＤａを生成する形態とすることが処理フローを簡略化できることから好ましい。
【０２８６】
また、再生コンテンツ選択指定情報ＲＣＭＤｇに加えて、リモートコントローラ２１０の「開始」ボタンを別途オンさせることによって、視聴開始指定情報ＲＣＭＤａを受け付けて配信開始要求情報ＣＭＤａをコンテンツ受信端末装置１００に対して送信する形態とすることも可能である。
【０２８７】
ステップＳ２１８：
コンテンツ受信端末装置１００は、配信開始要求情報ＣＭＤａの受信に基づいてコンテンツ配信サーバ１０へ配信開始を要求する。したがって、コンテンツ配信サーバ１０によるコンテンツの配信が開始されるので、再生コンテンツ受信手段２２４は、再生通信部２０２を介してコンテンツ受信端末装置１００から送信されるコンテンツを受信する（再生コンテンツ受信ステップ）。
【０２８８】
再生コンテンツ受信手段２２４は、例えばコンテンツがＲＴＰ（Ｒｅａｌ−ｔｉｍｅ  Ｔｒａｎｓｐｏｒｔ  Ｐｒｏｔｏｃｏｌ）によって送信される場合はパケットの到着順序を確認し、入れ替わりが発生している場合は正しい順番に並べ替え、また、ＲＴＰヘッダの除去などの処理を行なう。
【０２８９】
次に、再生コンテンツ受信手段２２４による処理を施したコンテンツに対してデコーダ部２０８で復号処理を施しコンテンツ再生手段２２５によってコンテンツを再生する（コンテンツ再生ステップ）。
【０２９０】
図１０Ｃは、本発明の実施の形態に係るコンテンツ再生端末装置で実行される配信一時停止要求処理のフロー例を示すフローチャートである。
【０２９１】
ステップＳ２２２（以下ステップＳ２２４まで、図１０Ｃ参照）：
判別された視聴状態指定情報ＲＣＭＤが視聴一時停止指定情報ＲＣＭＤｂであるので、コンテンツ再生端末装置２００（制御部２０１）は、配信一時停止要求情報送信手段２２８を機能させる。
【０２９２】
配信一時停止要求情報送信手段２２８は、先ず、コンテンツが視聴中であるか否かを判断する（配信一時停止要求情報送信ステップ）。コンテンツを視聴中で無い場合（Ｓ２２２：ＮＯ）は、ステップＳ２００へ戻る。コンテンツを視聴中である場合（Ｓ２２２：ＹＥＳ）は、ステップＳ２２４へ移行する。
【０２９３】
ステップＳ２２４：
配信一時停止要求情報送信手段２２８は、配信一時停止要求情報ＣＭＤｂを配信制御情報ＣＭＤとして再生通信部２０２を介してコンテンツ受信端末装置１００へ送信する（配信一時停止要求情報送信ステップ）。
【０２９４】
図１０Ｄは、本発明の実施の形態に係るコンテンツ再生端末装置で実行される視聴再開要求処理のフロー例を示すフローチャートである。
【０２９５】
ステップＳ２３１（以下ステップＳ２３９まで、図１０Ｄ参照）：
判別された視聴状態指定情報ＲＣＭＤが視聴再開指定情報ＲＣＭＤｃであるので、コンテンツ再生端末装置２００（制御部２０１）は、配信再開要求情報送信手段２２９、一時停止コンテンツリスト要求手段２３０、一時停止コンテンツリスト表示手段２３１、再生コンテンツ選択指定手段２３２を機能させる。
【０２９６】
一時停止コンテンツリスト要求手段２３０は、先ず、配信を一時停止しているコンテンツのリストである一時停止コンテンツリストＣＬｐｓを要求する一時停止コンテンツリスト要求情報ＣＭＤｅを配信制御情報ＣＭＤとして再生通信部２０２を介してコンテンツ受信端末装置１００へ送信する（一時停止コンテンツリスト要求ステップ）。
【０２９７】
一時停止コンテンツリスト要求手段２３０は、コンテンツ受信端末装置１００（一時停止コンテンツリスト生成手段１２１、一時停止コンテンツリスト送信手段１２２）から一時停止コンテンツリストＣＬｐｓを取得（一時停止コンテンツリスト要求ステップ）した後、ステップＳ２３３へ移行する。
【０２９８】
ステップＳ２３３：
一時停止コンテンツリスト表示手段２３１は、一時停止コンテンツリスト要求手段２３０が取得した一時停止コンテンツリストＣＬｐｓを表示部２０３で表示する（一時停止コンテンツリスト表示ステップ）。ユーザは、正確に一時停止コンテンツリストＣＬｐｓを把握することが可能となる。
【０２９９】
例えば、一時停止コンテンツリストＣＬｐｓを、一時停止中（中断中）のコンテンツだけでなく、図６に示すように視聴中のコンテンツの情報も含むような形態（コンテンツリストＣＬｓｔ）で表示することも考えられる。
【０３００】
なお、一時停止コンテンツリストＣＬｐｓの表現形式は図６（Ｂ）に示した形態に限らず、例えば、一時停止位置での映像の停止画像、停止位置の画像へのＵＲＬを含むことが可能であり、それらの情報をコンテンツ名と一緒に表示するような形態とすることも可能である。
【０３０１】
また、一時停止中のコンテンツに含まれるペアレンタルレベルと視聴再開を指示したコンテンツ再生端末装置２００で決定されるペアレンタルレベルとを比較し、視聴すべきでないと判断すれば一時停止コンテンツリストＣＬｐｓに表示しない形態とすることも可能である。
【０３０２】
ステップＳ２３５：
ユーザが表示部２０３に表示された一時停止コンテンツリストＣＬｐｓの中から視聴を再開したいコンテンツを選択して指定した場合、つまり、再生コンテンツ選択指定手段２３２が再生コンテンツ選択指定情報ＲＣＭＤｇを受け付けた場合（Ｓ２３５：ＹＥＳ）（再生コンテンツ選択指定ステップ）は、ステップＳ２３７へ移行する。
【０３０３】
例えば、リモートコントローラ２１０に十字キーと決定キーが設けてある場合は、上述したとおり、十字キーでコンテンツを選択し、決定キーをオンとすることによって指定を実行する。コンテンツの選択指定がされない場合（Ｓ２３５：ＮＯ）は、ステップＳ２００へ戻る。
【０３０４】
ステップＳ２３７：
配信再開要求情報送信手段２２９は、再生通信部２０２を介して視聴再開指定情報ＲＣＭＤｃに対応する配信再開要求情報ＣＭＤｃをコンテンツ受信端末装置１００へ送信する（配信再開要求情報送信ステップ）。つまり、再生コンテンツ選択指定手段２３２は、再生コンテンツ選択指定情報ＲＣＭＤｇを受け付けたとき選択指定されたコンテンツの配信再開を配信再開要求情報送信手段２２９に要求させる。
【０３０５】
配信再開によってコンテンツ受信端末装置１００が受信するコンテンツの転送先を配信再開要求情報ＣＭＤｃで指定する構成としてある。通常は、転送先として配信再開要求情報ＣＭＤｃを送信する配信再開要求情報送信手段２２９を備えるコンテンツ再生端末装置２００自体（例えばコンテンツ再生端末装置２００Ｂ、つまりテレビｂ）を指定する構成としてあれば良い。
【０３０６】
しかし、適宜指定を受け付ける手段を設けることにより、他のコンテンツ再生端末装置２００を指定する構成とすることも可能である。
【０３０７】
コンテンツ受信端末装置１００は、配信再開要求情報ＣＭＤｃに基づいてコンテンツ配信サーバ１０に対して配信再開要求手段１２０によりコンテンツの配信再開を要求する（配信再開要求ステップ）。
【０３０８】
コンテンツ配信サーバ１０は、配信再開要求手段１２０からのコンテンツの配信再開の要求に対応して、コンテンツの配信再開を実行する。
【０３０９】
ステップＳ２３９：
配信再開されたコンテンツは、コンテンツ受信端末装置１００で受信され、コンテンツ再生端末装置２００へ転送される。コンテンツ再生端末装置２００（再生コンテンツ受信手段２２４）は転送されたコンテンツを受信する（再生コンテンツ受信ステップ）。
【０３１０】
再生コンテンツ受信手段２２４は、受信したコンテンツに対してステップＳ２１８と同様の処理を施す。例えばコンテンツがＲＴＰ（Ｒｅａｌ−ｔｉｍｅ  Ｔｒａｎｓｐｏｒｔ  Ｐｒｏｔｏｃｏｌ）によって送信される場合は、パケットの到着順序を確認し、入れ替わりが発生している場合は正しい順番に並べ替え、また、ＲＴＰヘッダの除去などの処理を行なう。
【０３１１】
次に、再生コンテンツ受信手段２２４による処理を施したコンテンツに対してデコーダ部２０８で復号処理を施し、コンテンツ再生手段２２５によってコンテンツを再生する（コンテンツ再生ステップ）。
【０３１２】
なお、コンテンツ受信端末装置１００（ＲＡＭ１０５）で記憶されている一時停止コンテンツリストＣＬｐｓが一時停止中のコンテンツとして「一つのコンテンツ」のみを把握している場合は、コンテンツ受信端末装置１００に対する一時停止コンテンツリスト要求ステップ（ステップＳ２３１）の後、一時停止コンテンツリスト表示表示ステップ（Ｓ２３３）および再生コンテンツ選択指定ステップ（Ｓ２３５）を省略し、一時停止コンテンツリスト要求ステップ（Ｓ２３１）から配信再開要求情報送信ステップ（Ｓ２３７）へ移行して視聴再開指定情報ＲＣＭＤｃに対応する配信再開要求情報ＣＭＤｃをコンテンツ受信端末装置１００へ送信する形態とすることも可能である。
【０３１３】
この構成により、視聴再開の対象としてのコンテンツに対する配信再開を簡略化した処理によって迅速にコンテンツ受信端末装置１００へ要求できることから、コンテンツ配信サーバ１０からのコンテンツの配信再開を容易かつ迅速に実行させることが可能となるので、配信再開を要求したコンテンツの視聴再開を容易に行なうことができる。
【０３１４】
なお、「この端末で前回視聴を一時停止したコンテンツの再生」や「あるユーザについて前回視聴を一時停止したコンテンツの再生」といったような機能がリモートコントローラ２１０のボタンとして、あるいは端末（コンテンツ再生端末装置２００）の設定として割り当てられている場合に、これらの固有機能がユーザによって実行されたときは、視聴状態指定情報ＲＣＭＤは視聴再開指定情報ＲＣＭＤｃであるとして処理することが可能である。
【０３１５】
また、固有機能のユーザによる実行に基づく視聴状態指定情報ＲＣＭＤは視聴再開指定情報ＲＣＭＤｃであると判断した場合、一時停止コンテンツリスト要求ステップ（Ｓ２３１）、一時停止コンテンツリスト表示ステップ（Ｓ２３３）、再生コンテンツ選択指定ステップ（Ｓ２３５）を省略し、一時停止コンテンツリスト要求ステップ（Ｓ２３１）から配信再開要求情報送信ステップ（Ｓ２３７）へ移行する形態とすることも可能である。
【０３１６】
図１０Ｅは、本発明の実施の形態に係るコンテンツ再生端末装置で実行される配信停止要求処理のフロー例を示すフローチャートである。
【０３１７】
ステップＳ２４２（以下ステップＳ２４４まで、図１０Ｅ参照）：
判別された視聴状態指定情報ＲＣＭＤが視聴停止指定情報ＲＣＭＤｄであるので、コンテンツ再生端末装置２００（制御部２０１）は、配信停止要求情報送信手段２２６を機能させる。
【０３１８】
先ず、配信停止要求情報送信手段２２６は、コンテンツが視聴中であるか否かを判断する。視聴中で無い場合（ステップＳ２４２：ＮＯ）は、ステップＳ２００へ戻る。視聴中である場合（ステップＳ２４２：ＹＥＳ）は、ステップＳ２４４へ移行する。
【０３１９】
ステップＳ２４４：
配信停止要求情報送信手段２２６は、配信停止要求情報ＣＭＤｄを配信制御情報ＣＭＤとして再生通信部２０２を介してコンテンツ受信端末装置１００へ送信する（配信停止要求情報送信ステップ）。送信後、ステップＳ２００へ戻る。
【０３２０】
上述したとおり、本実施の形態に係るコンテンツ再生端末装置２００は、ネットワークＮＷを介してコンテンツ配信サーバ１０から配信されコンテンツ受信端末装置１００が受信して転送したコンテンツを受信する再生コンテンツ受信手段２２４と、再生コンテンツ受信手段２２４が受信したコンテンツを再生するコンテンツ再生手段２２５とを備え、コンテンツ配信サーバ１０でのコンテンツ配信の状態を制御するための配信制御情報ＣＭＤをコンテンツ受信端末装置１００へ送信するコンテンツ再生端末装置２００である。
【０３２１】
また、本実施の形態に係るコンテンツ再生端末装置２００は、コンテンツの視聴の状態を指定するための視聴状態指定情報ＲＣＭＤの入力を受け付けて判別する視聴状態指定情報入力受付手段２２１と、判別された視聴状態指定情報ＲＣＭＤがコンテンツの視聴一時停止を指定する視聴一時停止指定情報ＲＣＭＤｂである場合はコンテンツの配信一時停止をコンテンツ配信サーバ１０に対して要求する配信一時停止要求情報ＣＭＤｂを配信制御情報ＣＭＤとしてコンテンツ受信端末装置１００へ送信する配信一時停止要求情報送信手段２２８と、判別された視聴状態指定情報ＲＣＭＤがコンテンツの視聴再開を指定する視聴再開指定情報ＲＣＭＤｃである場合はコンテンツの配信再開をコンテンツ配信サーバ１０に対して要求する配信再開要求情報ＣＭＤｃを配信制御情報ＣＭＤとしてコンテンツ受信端末装置１００へ送信する配信再開要求情報送信手段２２９とを備え、配信再開要求情報送信手段２２９は、配信再開によってコンテンツ受信端末装置１００が受信するコンテンツの転送先を配信再開要求情報ＣＭＤｃで指定する構成としてある。
【０３２２】
したがって、本実施の形態に係るコンテンツ再生端末装置２００によれば、視聴を一時停止したコンテンツ再生端末装置２００（例えばテレビａ：コンテンツ再生端末装置２００Ａ）とは異なる別のコンテンツ再生端末装置２００（例えばテレビｂ：コンテンツ再生端末装置２００Ｂ）で、視聴を一時停止したコンテンツの視聴を容易かつ簡単に再開することが可能となる。
【０３２３】
また、本実施の形態に係るコンテンツ再生端末装置２００は、判別された視聴状態指定情報ＲＣＭＤが視聴再開指定情報ＲＣＭＤｃである場合は配信を一時停止しているコンテンツのリストである一時停止コンテンツリストＣＬｐｓを要求する一時停止コンテンツリスト要求情報ＣＭＤｅを配信制御情報ＣＭＤとしてコンテンツ受信端末装置１００へ送信して一時停止コンテンツリストＣＬｐｓを取得する一時停止コンテンツリスト要求手段２３０と、コンテンツ受信端末装置１００から取得した一時停止コンテンツリストＣＬｐｓを表示する一時停止コンテンツリスト表示手段２３１と、表示された一時停止コンテンツリストＣＬｐｓから視聴再開の対象としてのコンテンツを選択指定した再生コンテンツ選択指定情報ＲＣＭＤｇを（視聴状態指定情報ＲＣＭＤとして）受け付ける再生コンテンツ選択指定手段２３２とを備え、再生コンテンツ選択指定手段２３２は、再生コンテンツ選択指定情報ＲＣＭＤｇを受け付けたとき選択指定されたコンテンツの配信再開を配信再開要求情報送信手段２２９に要求させる構成としてある。
【０３２４】
また、本実施の形態に係るコンテンツ再生端末装置２００は、判別された視聴状態指定情報ＲＣＭＤが視聴再開指定情報ＲＣＭＤｃである場合は配信を一時停止しているコンテンツのリストである一時停止コンテンツリストＣＬｐｓを要求する一時停止コンテンツリスト要求情報ＣＭＤｅを配信制御情報ＣＭＤとしてコンテンツ受信端末装置１００へ送信して一時停止コンテンツリストＣＬｐｓを取得する一時停止コンテンツリスト要求手段２３０を備え、一時停止コンテンツリスト要求手段２３０は、取得した一時停止コンテンツリストＣＬｐｓが一つのコンテンツのみのときは、一つのコンテンツの配信再開を配信再開要求情報送信手段２２９に要求させる構成としてある。
【０３２５】
上述したとおり、本実施の形態に係るコンテンツ再生端末装置２００のコンテンツ再生方法は、ネットワークＮＷを介してコンテンツ配信サーバ１０から配信されコンテンツ受信端末装置１００が受信して転送したコンテンツを受信する再生コンテンツ受信ステップと、再生コンテンツ受信ステップで受信したコンテンツを再生するコンテンツ再生ステップとを備え、コンテンツ配信サーバ１０でのコンテンツ配信の状態を制御するための配信制御情報ＣＭＤをコンテンツ受信端末装置１００へ送信するコンテンツ再生端末装置２００のコンテンツ再生方法である。
【０３２６】
また、本実施の形態に係るコンテンツ再生端末装置２００のコンテンツ再生方法は、コンテンツの視聴の状態を指定するための視聴状態指定情報ＲＣＭＤの入力を受け付けて判別する視聴状態指定情報入力受付ステップと、判別された視聴状態指定情報ＲＣＭＤがコンテンツの視聴一時停止を指定する視聴一時停止指定情報ＲＣＭＤｂである場合はコンテンツの配信一時停止をコンテンツ配信サーバ１０に対して要求する配信一時停止要求情報ＣＭＤｂを配信制御情報ＣＭＤとしてコンテンツ受信端末装置１００へ送信する配信一時停止要求情報送信ステップと、判別された視聴状態指定情報ＲＣＭＤがコンテンツの視聴再開を指定する視聴再開指定情報ＲＣＭＤｃである場合はコンテンツの配信再開をコンテンツ配信サーバ１０に対して要求する配信再開要求情報ＣＭＤｃを配信制御情報ＣＭＤとしてコンテンツ受信端末装置１００へ送信する配信再開要求情報送信ステップとを備え、配信再開要求情報送信ステップは、配信再開によってコンテンツ受信端末装置１００が受信するコンテンツの転送先を配信再開要求情報ＣＭＤｃで指定する。
【０３２７】
また、本実施の形態に係るコンテンツ再生端末装置２００のコンテンツ再生方法は、判別された視聴状態指定情報ＲＣＭＤが視聴再開指定情報ＲＣＭＤｃである場合は配信を一時停止しているコンテンツのリストである一時停止コンテンツリストＣＬｐｓを要求する一時停止コンテンツリスト要求情報ＣＭＤｅを配信制御情報ＣＭＤとしてコンテンツ受信端末装置１００へ送信して一時停止コンテンツリストＣＬｐｓを取得する一時停止コンテンツリスト要求ステップと、コンテンツ受信端末装置１００から取得した一時停止コンテンツリストＣＬｐｓを表示する一時停止コンテンツリスト表示ステップと、表示された一時停止コンテンツリストＣＬｐｓから視聴再開の対象としてのコンテンツを選択指定した再生コンテンツ選択指定情報ＲＣＭＤｇを（視聴状態指定情報ＲＣＭＤとして）受け付ける再生コンテンツ選択指定ステップとを備え、再生コンテンツ選択指定ステップで再生コンテンツ選択指定情報ＲＣＭＤｇを受け付けたとき配信再開要求情報送信ステップへ移行して選択指定されたコンテンツの配信再開を要求する。
【０３２８】
また、本実施の形態に係るコンテンツ再生端末装置２００のコンテンツ再生方法は、判別された視聴状態指定情報ＲＣＭＤが視聴再開指定情報ＲＣＭＤｃである場合は配信を一時停止しているコンテンツのリストである一時停止コンテンツリストＣＬｐｓを要求する一時停止コンテンツリスト要求情報ＣＭＤｅをコンテンツ受信端末装置１００へ送信して一時停止コンテンツリストＣＬｐｓを取得する一時停止コンテンツリスト要求ステップを備え、一時停止コンテンツリスト要求ステップで取得した一時停止コンテンツリストＣＬｐｓが一つのコンテンツのみのときは、配信再開要求情報送信ステップへ移行して一つのコンテンツの配信再開を要求する。
【０３２９】
本実施の形態に係るコンテンツ再生端末装置２００のコンテンツ再生方法は、本実施の形態に係るコンテンツ再生端末装置２００の作用と同様な作用を奏することが可能である。
【０３３０】
上述したとおり、本実施の形態に係るコンテンツ再生端末装置２００のコンテンツ再生プログラムは、コンピュータに、ネットワークＮＷを介してコンテンツ配信サーバ１０から配信されコンテンツ受信端末装置１００が受信して転送したコンテンツを受信する再生コンテンツ受信ステップと、再生コンテンツ受信手段２２４が受信したコンテンツを再生するコンテンツ再生ステップとを実行させ、コンテンツ配信サーバ１０でのコンテンツ配信の状態を制御するための配信制御情報ＣＭＤをコンテンツ受信端末装置１００へ送信させるコンテンツ再生端末装置２００のコンテンツ再生プログラムである。
【０３３１】
また、本実施の形態に係るコンテンツ再生端末装置２００のコンテンツ再生プログラムは、コンピュータに、コンテンツの視聴の状態を指定するための視聴状態指定情報ＲＣＭＤの入力を受け付ける視聴状態指定情報入力受付ステップを実行させ、コンピュータに、判別された視聴状態指定情報ＲＣＭＤがコンテンツの視聴一時停止を指定する視聴一時停止指定情報ＲＣＭＤｂである場合はコンテンツの配信一時停止をコンテンツ配信サーバ１０に対して要求する配信一時停止要求情報ＣＭＤｂを配信制御情報ＣＭＤとしてコンテンツ受信端末装置１００へ送信する配信一時停止要求情報送信ステップを実行させ、コンピュータに、判別された視聴状態指定情報ＲＣＭＤがコンテンツの視聴再開を指定する視聴再開指定情報ＲＣＭＤｃである場合はコンテンツの配信再開をコンテンツ配信サーバ１０に対して要求する配信再開要求情報ＣＭＤｃを配信制御情報ＣＭＤとしてコンテンツ受信端末装置１００へ送信する配信再開要求情報送信ステップを実行させ、コンピュータに、配信再開要求情報送信ステップでは、配信再開によってコンテンツ受信端末装置１００が受信するコンテンツの転送先を配信再開要求情報ＣＭＤｃで指定させる。
【０３３２】
また、本実施の形態に係るコンテンツ再生端末装置２００のコンテンツ再生プログラムは、コンピュータに、判別された視聴状態指定情報ＲＣＭＤが視聴再開指定情報ＲＣＭＤｃである場合は配信を一時停止しているコンテンツのリストである一時停止コンテンツリストＣＬｐｓを要求する一時停止コンテンツリスト要求情報ＣＭＤｅを配信制御情報ＣＭＤとしてコンテンツ受信端末装置１００へ送信して一時停止コンテンツリストＣＬｐｓを取得する一時停止コンテンツリスト要求ステップを実行させ、コンピュータに、コンテンツ受信端末装置１００から取得した一時停止コンテンツリストＣＬｐｓを表示する一時停止コンテンツリスト表示ステップを実行させ、コンピュータに、表示された一時停止コンテンツリストＣＬｐｓから視聴再開の対象としてのコンテンツを選択指定した再生コンテンツ選択指定情報ＲＣＭＤｇを（視聴状態指定情報ＲＣＭＤとして）受け付ける再生コンテンツ選択指定ステップを実行させ、コンピュータに、再生コンテンツ選択指定ステップで再生コンテンツ選択指定情報ＲＣＭＤｇを受け付けたとき配信再開要求情報送信ステップへ移行させて選択指定されたコンテンツの配信再開を要求させる。
【０３３３】
また、本実施の形態に係るコンテンツ再生端末装置２００のコンテンツ再生プログラムは、コンピュータに、判別された視聴状態指定情報ＲＣＭＤが視聴再開指定情報ＲＣＭＤｃである場合は配信を一時停止しているコンテンツのリストである一時停止コンテンツリストＣＬｐｓを要求する一時停止コンテンツリスト要求情報ＣＭＤｅをコンテンツ受信端末装置１００へ送信して一時停止コンテンツリストＣＬｐｓを取得する一時停止コンテンツリスト要求ステップを実行させ、コンピュータに、一時停止コンテンツリスト要求ステップで取得した一時停止コンテンツリストＣＬｐｓが一つのコンテンツのみのときは、配信再開要求情報送信ステップへ移行させて一つのコンテンツの配信再開を要求させる。
【０３３４】
本実施の形態に係るコンテンツ再生端末装置２００のコンテンツ再生プログラムは、本実施の形態に係るコンテンツ再生端末装置２００の作用と同様な作用を奏することが可能である。
【０３３５】
図１１Ａないし図１１Ｃに基づいて、本発明の実施の形態に係るコンテンツ送受信端末システム（コンテンツ受信端末装置１００およびコンテンツ再生端末装置２００）で実行される各処理ステップのフロー例を時系列で説明する。
【０３３６】
図１１Ａないし図１１Ｃは、本発明の実施の形態に係るコンテンツ送受信端末システムで実行されるシーケンス例を概念的に示すシーケンス図である。
【０３３７】
図１１Ａないし図１１Ｃに示すフロー例では、始めにコンテンツ再生端末装置２００Ａで視聴していたコンテンツの視聴を一時停止（配信を一時停止）し、その後に、コンテンツ再生端末装置２００Ｂで視聴を再開する場合としてある。
【０３３８】
コンテンツ受信端末装置１００およびコンテンツ再生端末装置２００は、図１ないし図１０Ｅで説明してあるので、主に時系列の流れについて説明する。
【０３３９】
ステップＳ３２０：
コンテンツ再生端末装置２００Ａからコンテンツを視聴しようとするユーザは、リモートコントローラ２１０を用いてコンテンツ再生端末装置２００Ａに対して視聴状態指定情報ＲＣＭＤを入力する。
【０３４０】
視聴開始に際して、例えば、視聴可能な「コンテンツリスト」の取得要求がなされる。したがって、コンテンツ再生端末装置２００Ａに対してリモートコントローラ２１０から、コンテンツリスト表示要求情報ＲＣＭＤｆが入力される。
【０３４１】
視聴状態指定情報入力受付手段２２１は、リモートコントローラ２１０からコンテンツ再生端末装置２００Ａに対してコンテンツリスト表示要求情報ＲＣＭＤｆが入力されていることを判別する（視聴状態指定情報入力受付ステップ）。
【０３４２】
つまり、コンテンツ再生端末装置２００Ａで、ステップＳ２１０（視聴状態指定情報入力受付ステップ）に対応する処理がなされる。
【０３４３】
コンテンツ再生端末装置２００Ａのユーザは、コンテンツ配信サーバ１０からのコンテンツを視聴するために、先ずコンテンツの選択画面（視聴可能な「コンテンツリスト」）を表示させる。具体的には、例えばブラウザを起動しコンテンツ配信サーバ１０のＵＲＬを入力する。
【０３４４】
ステップＳ３２２：
コンテンツリスト取得手段２２２は、コンテンツリスト表示要求情報ＲＣＭＤｆに対応して、再生通信部２０２を介してコンテンツ配信サーバ１０に対してコンテンツリスト表示要求情報ＲＣＭＤｆ（視聴可能な「コンテンツリスト取得要求」）を送信する（コンテンツリスト取得要求ステップ）。
【０３４５】
つまり、コンテンツ再生端末装置２００Ａで、ステップＳ２１２（コンテンツリスト取得要求ステップ）に対応する処理がなされる。
【０３４６】
具体的には、例えばＵＲＬが入力されるとコンテンツ再生端末装置２００Ａはコンテンツ配信サーバ１０にコンテンツ選択画面を要求した状態となる。
【０３４７】
ステップＳ３２４：
コンテンツ配信サーバ１０からコンテンツ再生端末装置２００Ａへ、視聴可能なコンテンツリスト（コンテンツ選択画面）、つまり配信可能な「コンテンツリスト」が送信される。コンテンツ再生端末装置２００Ａでは、再生通信部２０２を介してコンテンツリスト取得手段２２２で配信可能な「コンテンツリスト」を取得する（コンテンツリスト取得要求ステップ）。
【０３４８】
つまり、コンテンツ再生端末装置２００Ａで、ステップＳ２１２（コンテンツリスト取得要求ステップ）に対応する処理がなされる。
【０３４９】
ステップＳ３２６：
コンテンツリスト表示手段２２３は、コンテンツリスト取得手段２２２がコンテンツ配信サーバ１０から取得した視聴可能な「コンテンツリスト」を表示部２０３で表示する（コンテンツリスト表示ステップ）。
【０３５０】
つまり、コンテンツ再生端末装置２００Ａで、ステップＳ２１４（コンテンツリスト表示ステップ）に対応する処理がなされる。
【０３５１】
ステップＳ３２８：
ユーザは、視聴可能なコンテンツリスト（コンテンツ選択画面）の中から、視聴を希望するコンテンツを選択して指定する。つまり、リモートコントローラ２１０を用いて、再生コンテンツ選択指定情報ＲＣＭＤｇの入力を行なう。
【０３５２】
再生コンテンツ選択指定手段２３２は、コンテンツ選択画面の中から視聴を開始したいコンテンツとしてユーザが選択して指定したコンテンツを特定する再生コンテンツ選択指定情報ＲＣＭＤｇを視聴状態指定情報ＲＣＭＤとして受け付ける（再生コンテンツ選択指定ステップ）。
【０３５３】
つまり、コンテンツ再生端末装置２００Ａで、ステップＳ２１５（再生コンテンツ選択指定ステップ）に対応する処理がなされる。
【０３５４】
具体的には、例えば、ステップＳ２１５で説明したとおり、リモートコントローラ２１０に十字キーと決定キーを設けておき、十字キーでコンテンツを選択、指定させ、決定ボタンを押させることで実現することが可能である。
【０３５５】
ステップＳ３３０：
再生コンテンツ選択指定情報ＲＣＭＤｇの入力に伴い、配信開始要求情報送信手段２２７は、選択指定されたコンテンツに対する配信開始要求情報ＣＭＤａをコンテンツ受信端末装置１００に対して送信する（配信開始要求情報送信ステップ）。
【０３５６】
つまり、コンテンツ再生端末装置２００Ａで、ステップＳ２１６（配信開始要求情報送信ステップ）に対応する処理がなされる。
【０３５７】
ステップＳ３３２：
コンテンツ受信端末装置１００（認証処理手段１１２、決済処理手段１１３）は、必要に応じて、認証／課金処理（認証／決済）処理を実行する（認証処理ステップ、決済処理ステップ）。
【０３５８】
つまり、コンテンツ受信端末装置１００および認証／決済サーバ１１の間で、ステップＳ１１１およびステップＳ１１３に対応する処理がなされる。
【０３５９】
ステップＳ３３４：
コンテンツ受信端末装置１００（配信開始要求手段１１４）は、外用通信部１０２を介してコンテンツ配信サーバ１０に対してコンテンツの配信開始を要求する（配信開始要求ステップ）。
【０３６０】
つまり、コンテンツ受信端末装置１００で、ステップＳ１１５（配信開始要求ステップ）に対応する処理がなされる。また、コンテンツ受信端末装置１００は、ステップＳ１１７と同様にしてコンテンツリストＣＬｓｔを生成／更新する（コンテンツリスト生成／更新ステップ）。
【０３６１】
ステップＳ３３６：
コンテンツの配信開始の要求を受けたコンテンツ配信サーバ１０は、コンテンツの配信を開始する。
【０３６２】
ステップＳ３３８：
コンテンツ受信端末装置１００は、外用通信部１０２を介してコンテンツ配信サーバ１０から配信されたコンテンツをコンテンツ受信手段１１５で受信し、受信したコンテンツをコンテンツ転送手段１１６によってコンテンツ再生端末装置２００Ａへ転送する（コンテンツ転送ステップ）。
【０３６３】
つまり、コンテンツ受信端末装置１００で、ステップＳ１１９（コンテンツ転送ステップ）に対応する処理がなされる。
【０３６４】
ステップＳ３４０：
その後、コンテンツ再生端末装置２００Ａでの視聴を一時停止しようとするユーザは、コンテンツ再生端末装置２００Ａに対してリモートコントローラ２１０から、視聴一時停止指定情報ＲＣＭＤｂを入力する。
【０３６５】
視聴一時停止指定情報ＲＣＭＤｂの入力は、例えば、リモートコントローラ２１０が有する「一時停止」ボタンを押すことにより実行される。また、リモートコントローラ２１０にコンテンツ視聴制御パネルを表示する制御ボタン（不図示）が設けてあり、制御ボタンを押すことによりコンテンツ再生端末装置２００Ａの画面（表示部２０３）上に表示されたコンテンツ視聴制御パネルに配置された「一時停止」ボタンを押すことによって実行される。
【０３６６】
視聴状態指定情報入力受付手段２２１は、コンテンツ再生端末装置２００Ａに対してリモートコントローラ２１０から視聴一時停止指定情報ＲＣＭＤｂが入力されていることを判別する（視聴状態指定情報入力受付ステップ）。
【０３６７】
つまり、コンテンツ再生端末装置２００Ａで、ステップＳ２２０（視聴状態指定情報入力受付ステップ）に対応する処理がなされる。
【０３６８】
ステップＳ３４２：
視聴状態指定情報入力受付手段２２１は、視聴一時停止指定情報ＲＣＭＤｂが入力されていると判別することから、配信一時停止要求情報送信手段２２８が機能することとなる。
【０３６９】
先ず、配信一時停止要求情報送信手段２２８は、コンテンツが視聴中であるか否かを判断する。コンテンツの視聴中であることから、コンテンツ再生端末装置２００Ａ（配信一時停止要求情報送信手段２２８）は、次に、再生通信部２０２を介してコンテンツ受信端末装置１００へ配信一時停止要求情報ＣＭＤｂを送信する（配信一時停止要求情報送信ステップ）。
【０３７０】
つまり、ステップＳ２２２、ステップＳ２２４（配信一時停止要求情報送信ステップ）に対応する処理がなされる。
【０３７１】
ステップＳ３４４：
コンテンツ受信端末装置１００（配信制御情報受付手段１１１）は、コンテンツ再生端末装置２００Ａから配信一時停止要求情報ＣＭＤｂが送信されたことを判別する。したがって、配信一時停止要求手段１１８が機能することとなる。
【０３７２】
配信一時停止要求手段１１８は、外用通信部１０２を介してコンテンツ配信サーバ１０に対して受信中（配信中）のコンテンツの配信一時停止を要求する（配信一時停止要求ステップ）。また、コンテンツリストＣＬｓｔの更新（コンテンツリスト更新ステップ）が併せてなされる。
【０３７３】
つまり、ステップＳ１２２、ステップＳ１２４（配信一時停止要求ステップ）、ステップＳ１２６（コンテンツリスト更新ステップ）に対応する処理がなされる。
【０３７４】
ステップＳ３４６：
コンテンツ受信端末装置１００からの配信一時停止の要求を受けて、コンテンツ配信サーバ１０はコンテンツを配信一時停止として状態を維持する。
【０３７５】
ステップＳ３５０：
コンテンツ再生端末装置２００Ａでの指定で視聴一時停止したコンテンツをコンテンツ再生端末装置２００Ｂで視聴再開したいユーザは、コンテンツ再生端末装置２００Ｂに対応するリモートコントローラ２１０を用いてコンテンツ再生端末装置２００Ｂに対して視聴状態指定情報ＲＣＭＤを入力する。
【０３７６】
つまり、リモートコントローラ２１０から、視聴状態指定情報ＲＣＭＤとして視聴再開指定情報ＲＣＭＤｃが入力される。
【０３７７】
視聴再開指定情報ＲＣＭＤｃの入力は、例えば、リモートコントローラ２１０が有する「再開」ボタンを押すことにより実行される。また、コンテンツ再生端末装置２００Ｂのメニュー項目に「視聴再開」の欄を設けて、十字キーおよび決定キーによって選択、指定させる形態とすることが可能である。
【０３７８】
視聴状態指定情報入力受付手段２２１は、リモートコントローラ２１０からコンテンツ再生端末装置２００Ｂに対して視聴再開指定情報ＲＣＭＤｃが入力されたことを判別する（視聴状態指定情報入力受付ステップ）。
【０３７９】
つまり、コンテンツ再生端末装置２００Ｂ（視聴状態指定情報入力受付手段２２１）で、ステップＳ２３０（視聴状態指定情報入力受付ステップ）に対応する処理がなされる。
【０３８０】
視聴状態指定情報入力受付手段２２１によって判別された視聴状態指定情報ＲＣＭＤが視聴再開指定情報ＲＣＭＤｃであるので、コンテンツ再生端末装置２００Ｂ（制御部２０１）は、配信再開要求情報送信手段２２９、一時停止コンテンツリスト要求手段２３０、一時停止コンテンツリスト表示手段２３１、再生コンテンツ選択指定手段２３２を機能させる。
【０３８１】
ステップＳ３５２：
一時停止コンテンツリスト要求手段２３０は、再生通信部２０２を介して、一時停止コンテンツリストＣＬｐｓを要求する一時停止コンテンツリスト要求情報ＣＭＤｅをコンテンツ受信端末装置１００へ送信する（一時停止コンテンツリスト要求ステップ）。
【０３８２】
つまり、ステップＳ２３１（一時停止コンテンツリスト要求ステップ）に対応する処理がなされる。
【０３８３】
ステップＳ３５４：
一時停止コンテンツリスト要求手段２３０は、コンテンツ受信端末装置１００から一時停止コンテンツリストＣＬｐｓを取得する。一時停止コンテンツリスト表示手段２３１は、一時停止コンテンツリスト要求手段２３０が取得した一時停止コンテンツリストＣＬｐｓを表示部２０３で表示する（一時停止コンテンツリスト表示ステップ）。
【０３８４】
つまり、ステップＳ２３３（一時停止コンテンツリスト表示ステップ）に対応する処理がなされる。
【０３８５】
ステップＳ３５６：
視聴を一時停止していたコンテンツの視聴再開をコンテンツ再生端末装置２００Ｂで実行するユーザが、表示部２０３に表示された一時停止コンテンツリストＣＬｐｓの中から視聴を再開したいコンテンツを選択して指定する。つまり、再生コンテンツ選択指定手段２３２が入力された再生コンテンツ選択指定情報ＲＣＭＤｇを受け付ける（再生コンテンツ選択指定ステップ）。ユーザによる選択、指定の操作は、例えばリモートコントローラ２１０が有する十字キーと決定キーを介して行なわれる。
【０３８６】
つまり、ステップＳ２３５（再生コンテンツ選択指定ステップ）に対応する処理がなされる。
【０３８７】
ステップＳ３５８：
配信再開要求情報送信手段２２９は、ステップＳ３５６で選択、指定された視聴対象としてのコンテンツの配信再開を要求する配信再開要求情報ＣＭＤｃをコンテンツ受信端末装置１００に対して送信する。すなわち、配信再開要求情報送信手段２２９は、再生通信部２０２を介して視聴再開指定情報ＲＣＭＤｃに対応する配信再開要求情報ＣＭＤｃをコンテンツ受信端末装置１００へ送信する（配信再開要求情報送信ステップ）。
【０３８８】
つまり、ステップＳ２３７（配信再開要求情報送信ステップ）に対応する処理がなされる。
【０３８９】
ステップＳ３６０：
コンテンツ受信端末装置１００は、コンテンツ再生端末装置２００Ｂからの配信再開要求情報ＣＭＤｃを受けて、配信再開要求手段１２０を機能させる。配信再開要求手段１２０は、コンテンツ配信サーバ１０に対してＲＴＳＰを適用して一時停止中のコンテンツに対する配信再開を要求する（配信再開要求ステップ）。
【０３９０】
つまり、ステップＳ１４４（配信再開要求ステップ）に対応する処理がなされる。
【０３９１】
ステップＳ３６２：
コンテンツ配信サーバ１０は、配信一時停止中（視聴一時停止中）のコンテンツに対する配信再開要求を受け付け、指定された位置からコンテンツの送信をコンテンツ受信端末装置１００に対して再開する。
【０３９２】
ステップＳ３６４：
コンテンツ受信端末装置１００は、コンテンツ受信手段１１５で配信を再開されたコンテンツを受信し、コンテンツ転送手段１１６で受信したコンテンツをコンテンツ再生端末装置２００Ｂに対して転送する（コンテンツ転送ステップ）。
【０３９３】
なお、配信再開要求情報ＣＭＤｃでは、転送先情報「ｓｅｎｄｔｏ＝」でコンテンツの転送先が予め指定してあることから、コンテンツ転送手段１１６は、転送先情報「ｓｅｎｄｔｏ＝」で指定されている転送先としてのコンテンツ再生端末装置２００Ｂへ、内用通信部１０３を介して配信再開によって受信したコンテンツを転送する。
【０３９４】
つまり、ステップＳ１４６（コンテンツ転送ステップ）に対応する処理がなされる。
【０３９５】
したがって、コンテンツ再生端末装置２００Ａで一時停止したコンテンツに対するコンテンツ再生端末装置２００Ｂでの視聴再開を希望したユーザは、希望したとおりにコンテンツ再生端末装置２００Ｂで視聴を再開することが可能となる。
【０３９６】
すなわち、視聴を一時停止したコンテンツ再生端末装置２００Ａとは異なる別のコンテンツ再生端末装置２００Ｂで、視聴を一時停止したコンテンツの視聴を容易かつ簡単に再開することが可能となる。
【０３９７】
ステップＳ３６６：
コンテンツ再生端末装置２００Ｂでの視聴を停止したいユーザは、コンテンツ再生端末装置２００Ｂに対応するリモートコントローラ２１０を用いてコンテンツ再生端末装置２００Ｂに対して視聴状態指定情報ＲＣＭＤを入力する。
【０３９８】
つまり、リモートコントローラ２１０から、視聴状態指定情報ＲＣＭＤとして視聴停止指定情報ＲＣＭＤｄが入力される。
【０３９９】
視聴停止指定情報ＲＣＭＤｄの入力は、例えば、リモートコントローラ２１０が有する「停止」ボタンを押すことにより、上述した視聴再開指定情報ＲＣＭＤｃの入力と同様にして実行される。
【０４００】
視聴状態指定情報入力受付手段２２１は、リモートコントローラ２１０からコンテンツ再生端末装置２００Ｂに対して視聴停止指定情報ＲＣＭＤｄが入力されたことを判別する（視聴状態指定情報入力受付ステップ）。
【０４０１】
つまり、コンテンツ再生端末装置２００Ｂ（視聴状態指定情報入力受付手段２２１）で、ステップＳ２４０（視聴状態指定情報入力受付ステップ）に対応する処理がなされる。
【０４０２】
視聴状態指定情報入力受付手段２２１によって判別された視聴状態指定情報ＲＣＭＤが視聴停止指定情報ＲＣＭＤｄであるので、コンテンツ再生端末装置２００Ｂ（制御部２０１）は、配信停止要求情報送信手段２２６を機能させる。
【０４０３】
ステップＳ３６８：
配信停止要求情報送信手段２２６は、先ず、コンテンツが視聴中であるか否かを判断する。コンテンツの視聴中であることから、コンテンツ再生端末装置２００Ｂ（配信停止要求情報送信手段２２６）は、次に、再生通信部２０２を介してコンテンツ受信端末装置１００へ配信停止要求情報ＣＭＤｄを送信する（配信停止要求情報送信ステップ）。
【０４０４】
つまり、ステップＳ２４２、ステップＳ２４４（配信停止要求情報送信ステップ）に対応する処理がなされる。
【０４０５】
ステップＳ３７０：
コンテンツ受信端末装置１００（配信停止要求手段１１７）は、外用通信部１０２を介してコンテンツ配信サーバ１０に対して受信中（視聴中）のコンテンツの配信停止を要求する（配信停止要求ステップ）。つまり、配信停止要求情報ＣＭＤｄをコンテンツ配信サーバ１０に対して送信する。
【０４０６】
つまり、ステップＳ１５３（配信停止要求ステップ）に対応する処理がなされる。
【０４０７】
ステップＳ３７２：
コンテンツ配信サーバ１０は、コンテンツ受信端末装置１００からの配信停止の要求を受けてコンテンツの配信を停止する。
【０４０８】
上述したとおり、本実施の形態では、例えばリモートコントローラ２１０から視聴状態指定情報ＲＣＭＤをコンテンツ再生端末装置２００に対して入力し、コンテンツ再生端末装置２００は視聴状態指定情報ＲＣＭＤに基づいてコンテンツ受信端末装置１００に対する配信制御情報ＣＭＤを送信する。
【０４０９】
したがって、コンテンツの視聴について一時停止操作が行なわれたコンテンツ再生端末装置２００（例えばコンテンツ再生端末装置２００Ａ）と異なるコンテンツ再生端末装置２００（例えばコンテンツ再生端末装置２００Ｂ）から視聴一時停止中のコンテンツに対する視聴再開要求を受けた場合は、再開要求を行なったコンテンツ再生端末装置２００（例えばコンテンツ再生端末装置２００Ｂ）に対して、配信再開後のコンテンツの転送を行なうことが可能である。
【０４１０】
コンテンツ配信サーバ１０とコンテンツ受信端末装置１００との間は、既存の仕組みを用いたコンテンツ要求を行なうことが可能で、かつ、コンテンツ配信サーバ１０は一時停止位置などの情報を保持する必要がないので、既存のコンテンツ配信サービスにおいても、異なるコンテンツ再生端末装置２００を用いた継続視聴を行なうことが可能となる。
【０４１１】
また、本実施の形態においては、一時停止中のコンテンツのリストを例えばコンテンツ再生端末装置２００Ｂがコンテンツ受信端末装置１００から取得する例を示したが、コンテンツ再生端末装置２００Ａのリモートコントローラ２１０に、一時停止したコンテンツの情報を記憶させておき、コンテンツ再生端末装置２００Ｂをコンテンツ再生端末装置２００Ａのリモートコントローラ２１０で操作し、併せてリモートコントローラ２１０が記憶している一時停止したコンテンツの情報をコンテンツ再生端末装置２００Ｂに送信することによって、一時停止コンテンツリストの要求／表示／ユーザによる選択指定を省略する構成とすることも可能である。
【０４１２】
また、コンテンツ受信端末装置１００からコンテンツ配信サーバ１０に対して、クレジットカード番号などの課金に必要な情報を送信し、ユーザの認証処理を行なわない構成とすることも可能である。
【０４１３】
また、コンテンツ配信サーバ１０から送信されてきたコンテンツが暗号化されていた場合は、いったんコンテンツ受信端末装置１００にて復号処理を行ない、その後、コンテンツ受信端末装置１００から視聴開始要求または視聴再開要求をしたコンテンツ再生端末装置２００へ転送する前にコンテンツ受信端末装置１００とコンテンツ再生端末装置２００との間で認証を行ない、また、ＤＴＣＰ−ＩＰ（Ｄｉｇｉｔａｌ  Ｔｒａｎｓｍｉｓｓｉｏｎ  Ｃｏｎｔｅｎｔｓ  Ｐｒｏｔｅｃｔｉｏｎ  ｏｖｅｒ  ＩＰ）などの認証・暗号化を行なうことによってコンテンツを保護することも可能である。
【０４１４】
上述したとおり、本実施の形態に係るコンテンツ受信再生端末システムは、ネットワークＮＷを介してコンテンツ配信サーバ１０から配信されたコンテンツを受信するコンテンツ受信端末装置１００と、コンテンツ配信サーバ１０でのコンテンツ配信の状態を制御するための配信制御情報ＣＭＤをコンテンツ受信端末装置１００へ送信しコンテンツ受信端末装置１００が受信したコンテンツを再生する複数のコンテンツ再生端末装置２００（例えば、コンテンツ再生端末装置２００Ａ、コンテンツ再生端末装置２００Ｂ）とを備えるコンテンツ受信再生端末システムである。
【０４１５】
また、本実施の形態に係るコンテンツ受信再生端末システムが備えるコンテンツ受信端末装置１００は、コンテンツ配信サーバ１０から配信されたコンテンツを受信するコンテンツ受信手段１１５と、コンテンツ再生端末装置２００のいずれかへ受信したコンテンツを転送するコンテンツ転送手段１１６と、配信制御情報ＣＭＤをコンテンツ再生端末装置２００から受け付けて判別する配信制御情報受付手段１１１と、判別された配信制御情報ＣＭＤがコンテンツの配信一時停止を要求する配信一時停止要求情報ＣＭＤｂである場合はコンテンツ配信サーバ１０に対してコンテンツの配信一時停止を要求する配信一時停止要求手段１１８と、判別された配信制御情報ＣＭＤがコンテンツの配信再開を要求する配信再開要求情報ＣＭＤｃである場合はコンテンツ配信サーバ１０に対してコンテンツの配信再開を要求する配信再開要求手段１２０とを備え、コンテンツ転送手段１１６は、配信再開要求情報ＣＭＤｃで指定されたコンテンツ再生端末装置２００へ配信再開によって受信したコンテンツを転送する構成としてある。
【０４１６】
また、本実施の形態に係るコンテンツ受信再生端末システムが備えるコンテンツ再生端末装置２００は、コンテンツ受信端末装置１００から転送されたコンテンツを受信する再生コンテンツ受信手段１１５と、再生コンテンツ受信手段１１５が受信したコンテンツを再生するコンテンツ再生手段２２５と、コンテンツの視聴の状態を指定するための視聴状態指定情報ＲＣＭＤの入力を受け付けて判別する視聴状態指定情報入力受付手段２２１と、判別された視聴状態指定情報ＲＣＭＤがコンテンツの視聴一時停止を指定する視聴一時停止指定情報ＲＣＭＤｂである場合はコンテンツの配信一時停止をコンテンツ配信サーバ１０に対して要求する配信一時停止要求情報ＣＭＤｂを配信制御情報ＣＭＤとしてコンテンツ受信端末装置１００へ送信する配信一時停止要求情報送信手段２２８と、判別された視聴状態指定情報ＲＣＭＤがコンテンツの視聴再開を指定する視聴再開指定情報ＲＣＭＤｃである場合はコンテンツの配信再開をコンテンツ配信サーバ１０に対して要求する配信再開要求情報ＣＭＤｃを配信制御情報ＣＭＤとしてコンテンツ受信端末装置１００へ送信する配信再開要求情報送信手段２２９とを備え、配信再開要求情報送信手段２２９は、配信再開によってコンテンツ受信端末装置１００が受信するコンテンツの転送先を配信再開要求情報ＣＭＤｃで指定する構成としてある。
【０４１７】
したがって、本実施の形態に係るコンテンツ受信再生端末システムは、視聴が一時停止されたコンテンツの視聴再開を指定する視聴再開指定情報ＲＣＭＤｃ（視聴状態指定情報ＲＣＭＤ）に対応させた配信再開要求情報ＣＭＤｃ（配信制御情報ＣＭＤ）をコンテンツ再生端末装置２００からコンテンツ受信端末装置１００へ送信し、配信制御情報ＣＭＤ（配信再開要求情報ＣＭＤｃ）に応じてコンテンツ受信端末装置１００からコンテンツ配信サーバ１０に対して配信再開を要求することが可能となる。
【０４１８】
また、配信再開がされたコンテンツをコンテンツ受信端末装置１００で受信し、配信再開要求情報ＣＭＤｃで指定された転送先としてのコンテンツ再生端末装置２００へ転送することが可能となるので、視聴が一時停止されたコンテンツの視聴再開（継続視聴）を転送先で容易かつ正確に行なうことが可能となる。
【０４１９】
つまり、本実施の形態に係るコンテンツ受信再生端末システムによれば、コンテンツ受信端末装置１００に対して複数のコンテンツ再生端末装置２００（コンテンツ再生端末装置２００Ａ、コンテンツ再生端末装置２００Ｂ）を接続し、上述した構成としてあることから、コンテンツ配信サーバ１０での変更を全く必要とせずに、視聴を一時停止したコンテンツ再生端末装置（例えばテレビａ：コンテンツ再生端末装置２００Ａ）とは異なる別のコンテンツ再生端末装置（例えばテレビｂ：コンテンツ再生端末装置２００Ｂ）で、視聴を一時停止したコンテンツの視聴を容易かつ簡単に再開することが可能となる。
【図面の簡単な説明】
【０４２０】
【図１】本発明の実施の形態に係るコンテンツ受信再生端末システムを構成するコンテンツ受信端末装置、コンテンツ再生端末装置の関係を概念的に示す概略構成ブロック図である。
【図２】本発明の実施の形態に係るコンテンツ受信端末装置の内部構成の概略を示す概略構成ブロック図である。
【図３】本発明の実施の形態に係るコンテンツ再生端末装置の内部構成の概略を示す概略構成ブロック図である。
【図４】本発明の本実施の形態に係るコンテンツ受信端末装置の機能構成の概略を示す概略機能ブロック図である。
【図５】本発明の本実施の形態に係るコンテンツ受信端末装置が受け付けて判別する配信制御情報の構成例を概念的に示す説明図であり、（Ａ）は配信開始要求情報、（Ｂ）は配信一時停止制御情報、（Ｃ）は配信再開要求情報、（Ｄ）配信停止要求情報、（Ｅ）は一時停止コンテンツリスト要求情報のデータ構成図である。
【図６】本発明の本実施の形態に係るコンテンツ受信端末装置が生成／更新するコンテンツリストの構成例を示す説明図表であり、（Ａ）はある時点で更新する前のリスト状態例を示し、（Ｂ）は更新した後のリスト状態例を示す。
【図７Ａ】本発明の実施の形態に係るコンテンツ受信端末装置で実行される配信制御情報の受付／判別処理のフロー例を示すフローチャートである。
【図７Ｂ】本発明の実施の形態に係るコンテンツ受信端末装置で実行される配信開始処理のフロー例を示すフローチャートである。
【図７Ｃ】本発明の実施の形態に係るコンテンツ受信端末装置で実行される配信一時停止処理のフロー例を示すフローチャートである。
【図７Ｄ】本発明の実施の形態に係るコンテンツ受信端末装置で実行される一時停止コンテンツリスト処理のフロー例を示すフローチャートである。
【図７Ｅ】本発明の実施の形態に係るコンテンツ受信端末装置で実行される配信再開処理のフロー例を示すフローチャートである。
【図７Ｆ】本発明の実施の形態に係るコンテンツ受信端末装置で実行される配信停止処理のフロー例を示すフローチャートである。
【図８】本発明の実施の形態に係るコンテンツ再生端末装置の機能構成の概略を示す概略機能ブロック図である。
【図９】本発明の実施の形態に係るコンテンツ再生端末装置に対して視聴状態を指定するリモートコントローラから入力される視聴状態指定情報と配信制御情報との対応関係を概念的に示す説明図表である。
【図１０Ａ】本発明の実施の形態に係るコンテンツ再生端末装置で実行される視聴状態指定情報の受付／判別処理のフロー例を示すフローチャートである。
【図１０Ｂ】本発明の実施の形態に係るコンテンツ再生端末装置で実行される配信開始要求処理のフロー例を示すフローチャートである。
【図１０Ｃ】本発明の実施の形態に係るコンテンツ再生端末装置で実行される配信一時停止要求処理のフロー例を示すフローチャートである。
【図１０Ｄ】本発明の実施の形態に係るコンテンツ再生端末装置で実行される視聴再開要求処理のフロー例を示すフローチャートである。
【図１０Ｅ】本発明の実施の形態に係るコンテンツ再生端末装置で実行される配信停止要求処理のフロー例を示すフローチャートである。
【図１１Ａ】本発明の実施の形態に係るコンテンツ送受信端末システムで実行されるシーケンス例を概念的に示すシーケンス図である。
【図１１Ｂ】本発明の実施の形態に係るコンテンツ送受信端末システムで実行されるシーケンス例を概念的に示すシーケンス図である。
【図１１Ｃ】本発明の実施の形態に係るコンテンツ送受信端末システムで実行されるシーケンス例を概念的に示すシーケンス図である。
【符号の説明】
【０４２１】
１０  コンテンツ配信サーバ
１１  認証／決済サーバ（コンテンツ配信サーバ）
１００  コンテンツ受信端末装置
１０１  制御部
１０２  外用通信部
１０３  内用通信部
１０４  ＲＯＭ
１０５  ＲＡＭ
１１１  配信制御情報受付手段
１１２  認証処理手段
１１３  決済処理手段
１１４  配信開始要求手段
１１５  コンテンツ受信手段
１１６  コンテンツ転送手段
１１７  配信停止要求手段
１１８  配信一時停止要求手段
１１９  コンテンツリスト生成更新手段
１２０  配信再開要求手段
１２１  一時停止コンテンツリスト生成手段
１２２  一時停止コンテンツリスト送信手段
２００、２００Ａ、２００Ｂ  コンテンツ再生端末装置
２０１  制御部
２０２  再生通信部
２０３  表示部
２０４  音声出力部
２０５  視聴状態指定情報入力部
２０６  ＲＯＭ
２０７  ＲＡＭ
２０８  デコーダ部
２１０  リモートコントローラ
２２１  視聴状態指定情報入力受付手段
２２２  コンテンツリスト取得手段
２２３  コンテンツリスト表示手段
２２４  再生コンテンツ受信手段
２２５  コンテンツ再生手段
２２６  配信停止要求情報送信手段
２２７  配信開始要求情報送信手段
２２８  配信一時停止要求情報送信手段
２２９  配信再開要求情報送信手段
２３０  一時停止コンテンツリスト要求手段
２３１  一時停止コンテンツリスト表示手段
２３２  再生コンテンツ選択指定手段
ＣＬｓｔ  コンテンツリスト
ＣＬｐｓ  一時停止コンテンツリスト
ＣＭＤ  配信制御情報
ＣＭＤａ  配信開始要求情報
ＣＭＤｂ  配信一時停止要求情報
ＣＭＤｃ  配信再開要求情報
ＣＭＤｄ  配信停止要求情報
ＣＭＤｅ  一時停止コンテンツリスト要求情報
ＬＡＮ  構内情報通信網
ＮＷ  ネットワーク
ＲＣＭＤ  視聴状態指定情報
ＲＣＭＤａ  視聴開始指定情報
ＲＣＭＤｂ  視聴一時停止指定情報
ＲＣＭＤｃ  視聴再開指定情報
ＲＣＭＤｄ  視聴停止指定情報
ＲＣＭＤｆ  コンテンツリスト表示要求情報
ＲＣＭＤｇ  再生コンテンツ選択指定情報
【図１】
2009043000.tif 000003
【図２】
2009043000.tif 000004
【図３】
2009043000.tif 000005
【図４】
2009043000.tif 000006
【図５】
2009043000.tif 000007
【図６】
2009043000.tif 000008
【図７Ａ】
2009043000.tif 000009
【図７Ｂ】
2009043000.tif 000010
【図７Ｃ】
2009043000.tif 000011
【図７Ｄ】
2009043000.tif 000012
【図７Ｅ】
2009043000.tif 000013
【図７Ｆ】
2009043000.tif 000014
【図８】
2009043000.tif 000015
【図９】
2009043000.tif 000016
【図１０Ａ】
2009043000.tif 000017
【図１０Ｂ】
2009043000.tif 000018
【図１０Ｃ】
2009043000.tif 000019
【図１０Ｄ】
2009043000.tif 000020
【図１０Ｅ】
2009043000.tif 000021
【図１１Ａ】
2009043000.tif 000022
【図１１Ｂ】
2009043000.tif 000023
【図１１Ｃ】
2009043000.tif 000024